(57)【要約】  本発明は、アップリンク制御情報（ＵＣＩ）を送信するための方法及び装置を開示し、短ＴＴＩでＵＣＩの送信に対処する解決策が無いという従来の問題点を解決した。当該方法は、端末は、ＵＣＩを送信するための短送信時間間隔（ＴＴＩ）位置および／または短アップリンクチャネルを決定するステップと、前記端末は、決定された短ＴＴＩ位置および／または短アップリンクチャネルにおいて、前記ＵＣＩを送信するステップとを備える。こうして、短ＴＴＩで周期的ＵＣＩを送信するための解決策が提供されるので、ＵＣＩは通常短ＴＴＩで周期的送信できる。
2019530361.tif 000002
【特許請求の範囲】
【請求項１】
端末は、ＵＣＩを送信するための短送信時間間隔（ＴＴＩ）位置および／または短アップリンクチャネルを決定するステップと、
前記端末は、決定された短ＴＴＩ位置および／または短アップリンクチャネルにおいて、前記ＵＣＩを送信するステップと
を備えることを特徴とするアップリンク制御情報（ＵＣＩ）を送信するための方法。
【請求項２】
前記端末が、ＵＣＩを送信するための短ＴＴＩ位置および／または短アップリンクチャネルを決定する場合、前記端末は、第１の構成情報を受信し、前記第１の構成情報は、ＵＣＩ送信のためのフィードバックサブフレームの周期および／またはオフセットを示し、及び、前記第１の構成情報に従って、前記フィードバックサブフレームの位置を決定し、
前記端末が、決定された短ＴＴＩ位置および／または短アップリンクチャネルにおいて、前記ＵＣＩを送信する場合、前記端末は、前記フィードバックサブフレーム内のＵＣＩ送信のための特定の短ＴＴＩ位置または特定の短アップリンクチャネルにおいて、前記ＵＣＩを送信することを特徴とする請求項１に記載のアップリンク制御情報（ＵＣＩ）を送信するための方法。
【請求項３】
前記端末は、前記フィードバックサブフレーム内のＵＣＩ送信のための特定の短ＴＴＩ位置において、前記ＵＣＩを送信する場合、
前記端末は、前記フィードバックサブフレーム内の特定の短ＴＴＩ位置において、短物理アップリンク制御チャネル（ｓＰＵＣＣＨ）または短物理アップリンク共有チャネル（ｓＰＵＳＣＨ）により、前記ＵＣＩを送信することを特徴とする請求項２に記載のアップリンク制御情報（ＵＣＩ）を送信するための方法。
【請求項４】
前記端末は、前記フィードバックサブフレーム内のＵＣＩ送信のための特定の短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記特定の短ＴＴＩ位置にｓＰＵＳＣＨがなければ、前記端末は、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記端末は、前記フィードバックサブフレーム内の特定の短ＴＴＩ位置において、ｓＰＵＳＣＨにより前記ＵＣＩを送信することを特徴とする請求項３に記載のアップリンク制御情報（ＵＣＩ）を送信するための方法。
【請求項５】
前記端末が、前記フィードバックサブフレーム内のＵＣＩ送信のための特定の短アップリンクチャネルにおいて、前記ＵＣＩを送信する場合、
前記端末は、前記フィードバックサブフレーム内の最初のｓＰＵＣＣＨまたは最後のｓＰＵＣＣＨにおいて、前記ＵＣＩを送信し、または、
前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＣＣＨであると決定すれば、前記端末は、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記端末が、前記特定の短アップリンクチャネルがｓＰＵＳＣＨであると決定すれば、前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のプライマリコンポーネントキャリア（ＰＣＣ）にｓＰＵＳＣＨがあれば、前記端末は、前記ＰＣＣ上のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のＰＣＣにｓＰＵＳＣＨがなければ、前記端末は、前記フィードバックサブフレーム内の最小キャリアインデックスを有するセカンダリコンポーネントキャリア（ＳＣＣ）に存在するｓＰＵＳＣＨにおいて、前記ＵＣＩを送信することを特徴とする請求項２に記載のアップリンク制御情報（ＵＣＩ）を送信するための方法。
【請求項６】
前記端末が、前記ＰＣＣ上のｓＰＵＳＣＨにより、前記ＵＣＩを送信する場合、前記フィードバックサブフレーム内の前記端末のＰＣＣ上に複数のｓＰＵＳＣＨがあれば、前記端末は、前記フィードバックサブフレーム内の前記ＰＣＣ上の最初のｓＰＵＳＣＨまたは最後のｓＰＵＳＣＨにおいて、前記ＵＣＩを送信し、
または、
前記端末は、前記フィードバックサブフレーム内の最小キャリアインデックスを有するＳＣＣに存在するｓＰＵＳＣＨにおいて、前記ＵＣＩを送信する場合、前記フィードバックサブフレーム内の最小キャリアインデックスを有する前記ＳＣＣに複数のｓＰＵＳＣＨがあれば、前記端末は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信することを特徴とする請求項５に記載のアップリンク制御情報（ＵＣＩ）を送信するための方法。
【請求項７】
前記端末が、ＵＣＩを送信するための短ＴＴＩ位置および／または短アップリンクチャネルを決定する場合、前記端末は、第２の構成情報を受信し、前記第２の構成情報は、ＵＣＩ送信のためのフィードバック短ＴＴＩ位置の周期および／またはオフセットを示し、及び、前記第２の構成情報に従って、前記フィードバック短ＴＴＩ位置を決定し、
前記端末が、決定された短ＴＴＩ位置および／または短アップリンクチャネルにおいて、前記ＵＣＩを送信する場合、前記端末は、前記フィードバック短ＴＴＩ位置において、前記ＵＣＩを送信することを特徴とする請求項１に記載のアップリンク制御情報（ＵＣＩ）を送信するための方法。
【請求項８】
前記端末が、前記フィードバック短ＴＴＩ位置において、前記ＵＣＩを送信する場合、
前記端末は、前記フィードバック短ＴＴＩ位置において、ｓＰＵＣＣＨまたはｓＰＵＳＣＨにより、前記ＵＣＩを送信することを特徴とする請求項７に記載のアップリンク制御情報（ＵＣＩ）を送信するための方法。
【請求項９】
前記端末が、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記端末は、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記端末は、前記フィードバック短ＴＴＩ位置において、ｓＰＵＳＣＨにより前記ＵＣＩを送信することを特徴とする請求項８に記載のアップリンク制御情報（ＵＣＩ）を送信するための方法。
【請求項１０】
基地局は、ＵＣＩを送信するための短送信時間間隔（ＴＴＩ）位置および／または短アップリンクチャネルを決定するステップと、
前記基地局は、決定された短ＴＴＩ位置および／または短アップリンクチャネルにおいて、前記ＵＣＩを受信するステップと
を備えることを特徴とするアップリンク制御情報（ＵＣＩ）を受信するための方法。
【請求項１１】
前記基地局が、ＵＣＩを送信するための短ＴＴＩ位置および／または短アップリンクチャネルを決定する場合、前記基地局は、ＵＣＩ送信のためのフィードバックサブフレームにおいて、ＵＣＩ送信のための特定の短ＴＴＩ位置、または特定の短アップリンクチャネルにおいて送信されることを決定し、
前記基地局が、ＵＣＩを送信するための短ＴＴＩ位置および／または短アップリンクチャネルを決定した後、前記基地局は、端末に第１の構成情報を送信し、前記第１の構成情報は、前記フィードバックサブフレームの周期および／またはオフセットを示すことを特徴とする請求項１０に記載のアップリンク制御情報（ＵＣＩ）を受信するための方法。
【請求項１２】
前記基地局が決定された短ＴＴＩ位置および／または短アップリンクチャネルにおいて、前記ＵＣＩを受信する場合、
前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信することを特徴とする請求項１１に記載のアップリンク制御情報（ＵＣＩ）を受信するための方法。
【請求項１３】
前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する場合、
前記端末がｓＰＵＣＣＨとｓＰＵＳＣＨの同時送信をサポートするか、または、前記特定の短ＴＴＩ位置にｓＰＵＳＣＨがなければ、前記基地局は、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記基地局は、前記フィードバックサブフレーム内の特定の短ＴＴＩ位置において、ｓＰＵＳＣＨにより前記ＵＣＩを受信することを特徴とする請求項１２に記載のアップリンク制御情報（ＵＣＩ）を受信するための方法。
【請求項１４】
前記基地局は、前記フィードバックサブフレーム内のＵＣＩ送信のための特定の短アップリンクチャネルにおいて、前記ＵＣＩを受信する場合、
前記基地局は、前記フィードバックサブフレーム内の最初のｓＰＵＣＣＨまたは最後のｓＰＵＣＣＨにおいて、前記ＵＣＩを受信し、または、
前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＣＣＨであると決定すれば、前記基地局は、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記基地局が、前記特定の短アップリンクチャネルがｓＰＵＳＣＨであると決定すれば、前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがあれば、前記基地局は、前記ＰＣＣ上のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがなければ、前記基地局は、前記フィードバックサブフレーム内の最小キャリアインデックスを有するＳＣＣに存在するｓＰＵＳＣＨにおいて、前記ＵＣＩを受信することを特徴とする請求項１１に記載のアップリンク制御情報（ＵＣＩ）を受信するための方法。
【請求項１５】
前記基地局は、前記ＰＣＣ上のｓＰＵＳＣＨにおいて、前記ＵＣＩを受信する場合、前記フィードバックサブフレーム内の前記端末のＰＣＣ上に複数のｓＰＵＳＣＨがあれば、前記基地局は、前記フィードバックサブフレーム内の前記ＰＣＣ上の最初のｓＰＵＳＣＨまたは最後のｓＰＵＳＣＨにおいて、前記ＵＣＩを受信し、
または、
前記基地局は、前記フィードバックサブフレーム内の最小キャリアインデックスを有するＳＣＣに存在するｓＰＵＳＣＨにおいて、前記ＵＣＩを受信する場合、前記フィードバックサブフレーム内の最小キャリアインデックスを有する前記ＳＣＣに複数のｓＰＵＳＣＨがあれば、前記基地局は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信することを特徴とする請求項１４に記載のアップリンク制御情報（ＵＣＩ）を受信するための方法。
【請求項１６】
前記基地局が、ＵＣＩを送信するための短ＴＴＩ位置および／または短アップリンクチャネルを決定する場合、前記基地局は、前記ＵＣＩがフィードバック短ＴＴＩ位置で送信されることを決定し、
前記基地局は、ＵＣＩを送信するための短ＴＴＩ位置および／または短アップリンクチャネルを決定した後、前記基地局は、端末に第２の構成情報を送信し、前記第２の構成情報は、ＵＣＩ送信のためのフィードバック短ＴＴＩ位置の周期および／またはオフセットを示すことを特徴とする請求項１０に記載のアップリンク制御情報（ＵＣＩ）を受信するための方法。
【請求項１７】
前記基地局が決定された短ＴＴＩ位置および／または短アップリンクチャネルにおいて、前記ＵＣＩを受信する場合、
前記基地局は、前記フィードバック短ＴＴＩ位置において、ｓＰＵＣＣＨまたはｓＰＵＳＣＨにより、前記ＵＣＩを受信することを特徴とする請求項１６に記載のアップリンク制御情報（ＵＣＩ）を受信するための方法。
【請求項１８】
前記基地局が、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記基地局は、前記フィードバック短ＴＴＩ位置において、ｓＰＵＣＣＨにより前記ＵＣＩを受信し、または、
前記端末がｓＰＵＣＣＨとｓＰＵＳＣＨの同時送信をサポートしないか、または、前記フィードバック短ＴＴＩ位置にｓＰＵＳＣＨがあれば、前記基地局は、前記フィードバック短ＴＴＩ位置において、ｓＰＵＳＣＨにより前記ＵＣＩを受信することを特徴とする請求項１７に記載のアップリンク制御情報（ＵＣＩ）を受信するための方法。
【請求項１９】
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを送信するように構成される、送信モジュールと
を備えることを特徴とする端末。
【請求項２０】
前記決定モジュールは、第１の構成情報を受信し、前記第１の構成情報は、ＵＣＩ送信のためのフィードバックサブフレームの周期および／またはオフセットを示し、また、前記第１の構成情報に従って、前記フィードバックサブフレームの位置を決定し、
前記送信モジュールは、前記フィードバックサブフレーム内のＵＣＩ送信のための特定の短ＴＴＩ位置または特定の短アップリンクチャネルにおいて、前記ＵＣＩを送信することを特徴とする請求項１９に記載の端末。
【請求項２１】
前記送信モジュールは、
前記フィードバックサブフレーム内の特定の短ＴＴＩ位置において、ｓＰＵＣＣＨまたはｓＰＵＳＣＨにより、前記ＵＣＩを送信することを特徴とする請求項２０に記載の端末。
【請求項２２】
前記送信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを送信することを特徴とする請求項２１に記載の端末。
【請求項２３】
前記送信モジュールは、
前記フィードバックサブフレーム内の最初のｓＰＵＣＣＨまたは最後のｓＰＵＣＣＨにおいて、前記ＵＣＩを送信し、または、
前記フィードバックサブフレーム内の最初のｓＰＵＳＣＨまたは最後のｓＰＵＳＣＨにおいて、前記ＵＣＩを送信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記特定の短アップリンクチャネルがｓＰＵＳＣＨであると決定すれば、前記フィードバックサブフレーム内の最初のｓＰＵＳＣＨまたは最後のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを送信することを特徴とする請求項２０に記載の端末。
【請求項２４】
前記送信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを送信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信することを特徴とする請求項２３に記載の端末。
【請求項２５】
前記決定モジュールは、第２の構成情報を受信し、前記第２の構成情報は、ＵＣＩ送信のためのフィードバック短ＴＴＩ位置の周期および／またはオフセットを示し、及び、前記第２の構成情報に従って、前記フィードバック短ＴＴＩ位置を決定し、
前記送信モジュールは、前記フィードバック短ＴＴＩ位置において、前記ＵＣＩを送信することを特徴とする請求項１９に記載の端末。
【請求項２６】
前記送信モジュールは、
前記フィードバック短ＴＴＩ位置において、ｓＰＵＣＣＨまたはｓＰＵＳＣＨにより、前記ＵＣＩを送信することを特徴とする請求項２５に記載の端末。
【請求項２７】
前記送信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを送信することを特徴とする請求項２６に記載の端末。
【請求項２８】
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを受信するように構成される、受信モジュールと
を備えることを特徴とする基地局。
【請求項２９】
前記決定モジュールは、
ＵＣＩ送信のためのフィードバックサブフレームにおいて、前記ＵＣＩが、ＵＣＩ送信のための特定の短ＴＴＩ位置、または特定の短アップリンクチャネルにおいて送信されることを決定し、
端末に第１の構成情報を送信し、前記第１の構成情報は、前記フィードバックサブフレームの周期および／またはオフセットを示すことを特徴とする請求項２８に記載の基地局。
【請求項３０】
前記受信モジュールは、
前記フィードバックサブフレーム内のＵＣＩ送信のための特定の短ＴＴＩ位置において、ｓＰＵＣＣＨまたはｓＰＵＳＣＨにより、前記ＵＣＩを受信することを特徴とする請求項２９に記載の基地局。
【請求項３１】
前記受信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを受信することを特徴とする請求項３０に記載の基地局。
【請求項３２】
前記受信モジュールは、
前記フィードバックサブフレーム内の最初のｓＰＵＣＣＨまたは最後のｓＰＵＣＣＨにおいて、前記ＵＣＩを受信し、または、
前記フィードバックサブフレーム内の最初のｓＰＵＳＣＨまたは最後のｓＰＵＳＣＨにおいて、前記ＵＣＩを受信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記特定の短アップリンクチャネルがＰＵＣＣＨであると決定すれば、前記フィードバックサブフレーム内の最初のｓＰＵＳＣＨまたは最後のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを受信することを特徴とする請求項２９に記載の基地局。
【請求項３３】
前記受信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを受信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信することを特徴とする請求項３２に記載の基地局。
【請求項３４】
前記決定モジュールは、
前記ＵＣＩがフィードバック短ＴＴＩ位置で送信されることを決定し、
端末に第２の構成情報を送信し、前記第２の構成情報は、ＵＣＩ送信のためのフィードバック短ＴＴＩ位置の周期および／またはオフセットを示すことを特徴とする請求項２８に記載の基地局。
【請求項３５】
前記受信モジュールは、
前記フィードバック短ＴＴＩ位置において、ｓＰＵＣＣＨまたはｓＰＵＳＣＨにより、前記ＵＣＩを受信することを特徴とする請求項３４に記載の基地局。
【請求項３６】
前記受信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを受信し、
または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを受信することを特徴とする請求項３５に記載の基地局。
【請求項３７】
メモリと、送受信機と、前記メモリと前記送受信機とに接続された少なくとも１つのプロセッサとを備え。
前記プロセッサは、前記メモリに格納されたプログラムを読み出し、ＵＣＩを送信するための短送信時間間隔（ＴＴＩ）位置および／または短アップリンクチャネルを決定し、決定された短ＴＴＩ位置および／または短アップリンクチャネルにおいて前記送受信機により前記ＵＣＩを送信し、
前記送受信機は、前記プロセッサの制御下でデータを送受信するように構成されることを特徴とする端末。
【請求項３８】
メモリと、送受信機と、前記メモリと前記送受信機とに接続された少なくとも１つのプロセッサとを備え、
前記プロセッサは、前記メモリに格納されたプログラムを読み出し、ＵＣＩを送信するための短送信時間間隔（ＴＴＩ）位置および／または短アップリンクチャネルを決定し、決定された短ＴＴＩ位置および／または短アップリンクチャネルにおいて前記送受信機により前記ＵＣＩを受信し、
前記送受信機は、前記プロセッサの制御下でデータを送受信するように構成されることを特徴とする基地局。
【発明の詳細な説明】
【技術分野】
【０００１】
関連出願の相互参照
本出願は、２０１６年９月２９日に中国特許局に提出し、出願番号が２０１６１０８６８４６９．６であり、発明名称が「アップリンク制御情報（ＵＣＩ）を送信するための方法及び装置」との中国特許出願を基礎とする優先権を主張し、その開示の総てをここに取り込む。
【０００２】
本発明は無線通信技術分野に関し、特にアップリンク制御情報（Ｕｐｌｉｎｋ Ｃｏｎｔｒｏｌ Ｉｎｆｏｒｍａｔｉｏｎ，ＵＣＩ）を送信するための方法及び装置に関する。
【背景技術】
【０００３】
図１は、既存のロングタームエボリューション（ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システムのためのフレーム構造タイプ１（Ｆｒａｍｅ Ｓｔｒｕｃｔｕｒｅ ｔｙｐｅ １，ＦＳ１）を示す。ＦＤＤシステムでは、アップリンク送信とダウンリンク送信には異なる搬送周波数が用いられ、アップリンク送信とダウンリンク送信には同じフレーム構造がある。各搬送波上で、長さ１０ｍｓの無線フレームは１０個の１ｍｓサブフレームを含み、各サブフレームはさらに長さ０．５ｍｓの２つのタイムスロットを含む。アップリンクおよびダウンリンクのデータ送信のための送信時間間隔（Ｔｒａｎｓｍｉｓｓｉｏｎ Ｔｉｍｅ Ｉｎｔｅｒｖａｌ，ＴＴＩ）の長差は１ｍｓである。
【０００４】
既存のロングタームエボリューション（ｌｏｎｇ Ｔｅｒｍ Ｅｖｏｌｕｔｉｏｎ，ＬＴＥ）システムは、時分割複信（Ｔｉｍｅ Ｄｉｖｉｓｉｏｎ Ｄｕｐｌｅｘ，ＴＤＤ）に対して、図２に示すようにフレーム構造２（Ｆｒａｍｅ Ｓｔｒｕｃｔｕｒｅ ｔｙｐｅ ２，ＦＳ２）を定義した。アップリンク及びダウンリンク送信に同じ周波数上の異なるサブフレームまたは異なるスロットを利用する。各１０ｍｓ無線フレームは２つの５ｍｓハーフフレームを含み、各ハーフフレームは１ｍｓの長さを有する５つのサブフレームを含む。ＦＳ２内のサブフレームは、ダウンリンクサブフレーム、アップリンクサブフレーム、及び特殊サブフレームに分類され、各特殊サブフレームは、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間（Ｇｕａｒｄ Ｐｅｒｉｏｄ，ＧＰ）、及びサブパイロットフレームを含む。アップリンクパイロットタイムスロット（Ｕｐｌｉｎｋ Ｐｉｌｏｔ Ｔｉｍｅ Ｓｌｏｔ，ＵｐＰＴＳ）により構成される。各ハーフフレームは、少なくとも１つのダウンリンクサブフレーム、少なくとも１つのアップリンクサブフレーム、及び最大で１つの特殊サブフレームを含む。
【０００５】
従来技術では、スケジューリング要求（Ｓｃｈｅｄｕｌｉｎｇ Ｒｅｑｕｅｓｔ，ＳＲ）と周期的チャネル状態情報（Ｃｈａｎｎｅｌ Ｓｔａｔｅ Ｉｎｆｏｒｍａｔｉｏｎ，ＣＳＩ）の両方がサブフレーム単位で送信され、それらの報告周期性およびオフセットもサブフレームを単位として構成される。移動体通信サービスに対する需要が高まるにつれて、将来の移動体通信システムに要求されるようなより高いユーザプレーン遅延性能が定義されてきた。ユーザプレーン遅延は、一般に、短ＴＴＩ送信をサポートするために送信時間間隔（Ｔｒａｎｓｍｉｓｓｉｏｎ Ｔｉｍｅ Ｉｎｔｅｒｖａｌ，ＴＴＩ）の長さを短くすることによって短縮されるので、既存のＬＴＥメカニズムで定義されるサブフレーム構造において１ｍｓより短い複数の短ＴＴＩがある。短ＴＴＩ送信では、短い物理アップリンク共有チャネル（ｓｈｏｒｔｅｎｅｄ Ｐｈｙｓｉｃａｌ Ｕｐｌｉｎｋ Ｓｈａｒｅｄ Ｃｈａｎｎｅｌ，ｓＰＵＳＣＨ）および短縮物理アップリンク制御チャネル（ｓｈｏｒｔｅｎｅｄ Ｐｈｙｓｉｃａｌ Ｕｐｌｉｎｋ Ｓｈａｒｅｄ Ｃｈａｎｎｅｌ，ｓＰＵＣＣＨ）がアップリンクによってサポートされるｓＰＵＣＣＨは少なくとも短ＴＴＩでのダウンリンク送信に対する肯定応答／否定応答（ＡＣＫ／ＮＡＣＫ）フィードバック情報を搬送することができる。短ＴＴＩの長さは、２、３、４、または７個の直交周波数分割多重（ＯＦＤＭ）またはシングルキャリア周波数分割多元接続（ＳＣ−ＦＤＭＡ）シンボルとすることができるが、代替として１４個以下のシンボルとすることもできる。または１ｍｓ以下の長さの時間とすることもできる。
【０００６】
既存のチャネル及びＵＣＩ送信はサブフレーム単位で定義されるので、これまで短ＴＴＩにおけるＵＣＩ送信に対する明確な解決策は存在しなかった。
【発明の概要】
【発明が解決しようとする課題】
【０００７】
本発明に係る実施例はアップリンク制御情報（ＵＣＩ）を送信するための方法及び装置を提供し、短ＴＴＩでＵＣＩの送信に対処する解決策が無いという従来の問題点を解決した。
【課題を解決するための手段】
【０００８】
第１の態様によれば、アップリンク制御情報（ＵＣＩ）を送信するための方法は、
端末は、ＵＣＩを送信するための短送信時間間隔（ＴＴＩ）位置および／または短アップリンクチャネルを決定するステップと、
前記端末は、決定された短ＴＴＩ位置および／または短アップリンクチャネルにおいて、前記ＵＣＩを送信するステップとを備える。
【０００９】
可能な実施形態として、前記端末が、ＵＣＩを送信するための短ＴＴＩ位置および／または短アップリンクチャネルを決定する場合、前記端末は、第１の構成情報を受信し、前記第１の構成情報は、ＵＣＩ送信のためのフィードバックサブフレームの周期および／またはオフセットを示し、また、前記第１の構成情報に従って、前記フィードバックサブフレームの位置を決定し、
前記端末が、決定された短ＴＴＩ位置および／または短アップリンクチャネルにおいて、前記ＵＣＩを送信する場合、前記端末は、前記フィードバックサブフレーム内のＵＣＩ送信のための特定の短ＴＴＩ位置または特定の短アップリンクチャネルにおいて、前記ＵＣＩを送信する。
【００１０】
任意選択で、前記端末が、前記フィードバックサブフレーム内のＵＣＩ送信のための特定の短ＴＴＩ位置において、前記ＵＣＩを送信する場合、前記端末は、前記フィードバックサブフレーム内の特定の短ＴＴＩ位置において、ｓＰＵＣＣＨまたはｓＰＵＳＣＨにより、前記ＵＣＩを送信する。
【００１１】
また、前記端末が、前記フィードバックサブフレーム内のＵＣＩ送信のための特定の短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記特定の短ＴＴＩ位置にｓＰＵＳＣＨがなければ、前記端末は、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記端末は、前記フィードバックサブフレーム内の特定の短ＴＴＩ位置において、ｓＰＵＳＣＨにより前記ＵＣＩを送信する。
【００１２】
任意選択で、前記端末が、前記フィードバックサブフレーム内のＵＣＩ送信のための特定の短アップリンクチャネルにおいて、前記ＵＣＩを送信する場合、
前記端末は、前記フィードバックサブフレーム内の最初のｓＰＵＣＣＨまたは最後のｓＰＵＣＣＨにおいて、前記ＵＣＩを送信し、または、
前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＣＣＨであると決定すれば、前記端末は、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記端末が、前記特定の短アップリンクチャネルがｓＰＵＳＣＨであると決定すれば、前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のＰＣＣにｓＰＵＳＣＨがあれば、前記端末は、前記ＰＣＣ上のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のＰＣＣにｓＰＵＳＣＨがなければ、前記端末は、前記フィードバックサブフレーム内の最小キャリアインデックスを有するＳＣＣに存在するｓＰＵＳＣＨにおいて、前記ＵＣＩを送信する。
【００１３】
また、前記端末が、前記ＰＣＣ上のｓＰＵＳＣＨにより、前記ＵＣＩを送信する場合、前記フィードバックサブフレーム内の前記端末のＰＣＣ上に複数のｓＰＵＳＣＨがあれば、前記端末は、前記フィードバックサブフレーム内の前記ＰＣＣ上の最初のｓＰＵＳＣＨまたは最後のｓＰＵＳＣＨにおいて、前記ＵＣＩを送信し、
または、
前記端末は、前記フィードバックサブフレーム内の最小キャリアインデックスを有するＳＣＣに存在するｓＰＵＳＣＨにおいて、前記ＵＣＩを送信する場合、前記フィードバックサブフレーム内の最小キャリアインデックスを有する前記ＳＣＣに複数のｓＰＵＳＣＨがあれば、前記端末は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信する。
【００１４】
他の可能な実施形態として、前記端末が、ＵＣＩを送信するための短ＴＴＩ位置および／または短アップリンクチャネルを決定する場合、前記端末は、第２の構成情報を受信し、前記第２の構成情報は、ＵＣＩ送信のためのフィードバック短ＴＴＩ位置の周期および／またはオフセットを示し、また、前記第２の構成情報に従って、前記フィードバック短ＴＴＩ位置を決定し、
前記端末が、決定された短ＴＴＩ位置および／または短アップリンクチャネルにおいて、前記ＵＣＩを送信する場合、前記端末は、前記フィードバック短ＴＴＩ位置において、前記ＵＣＩを送信する。
【００１５】
また、前記端末が、前記フィードバック短ＴＴＩ位置において、前記ＵＣＩを送信する場合、
前記端末は、前記フィードバック短ＴＴＩ位置において、ｓＰＵＣＣＨまたはｓＰＵＳＣＨにより、前記ＵＣＩを送信する。
【００１６】
また、前記端末が、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記端末は、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記端末は、前記フィードバック短ＴＴＩ位置において、ｓＰＵＳＣＨにより前記ＵＣＩを送信する。
【００１７】
第２の態様によれば、アップリンク制御情報（ＵＣＩ）を受信するための方法は、
基地局は、ＵＣＩを送信するための短送信時間間隔（ＴＴＩ）位置および／または短アップリンクチャネルを決定するステップと、
前記基地局は、決定された短ＴＴＩ位置および／または短アップリンクチャネルにおいて、前記ＵＣＩを受信するステップとを備える。
【００１８】
可能な一実施形態として、前記基地局が、ＵＣＩを送信するための短ＴＴＩ位置および／または短アップリンクチャネルを決定する場合、前記基地局は、ＵＣＩ送信のためのフィードバックサブフレームにおいて、ＵＣＩ送信のための特定の短ＴＴＩ位置、または特定の短アップリンクチャネルにおいて送信されることを決定し、
前記基地局が、ＵＣＩを送信するための短ＴＴＩ位置および／または短アップリンクチャネルを決定した後、前記基地局は、端末に第１の構成情報を送信し、前記第１の構成情報は、前記フィードバックサブフレームの周期および／またはオフセットを示す。
【００１９】
任意選択で、前記基地局が決定された短ＴＴＩ位置および／または短アップリンクチャネルにおいて、前記ＵＣＩを受信する場合、
前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する。
【００２０】
また、前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する場合、
前記端末がｓＰＵＣＣＨとｓＰＵＳＣＨの同時送信をサポートするか、または、前記特定の短ＴＴＩ位置にｓＰＵＳＣＨがなければ、前記基地局は、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記基地局は、前記フィードバックサブフレーム内の特定の短ＴＴＩ位置において、ｓＰＵＳＣＨにより前記ＵＣＩを受信する。
【００２１】
任意選択で、前記基地局は、前記フィードバックサブフレーム内のＵＣＩ送信のための特定の短アップリンクチャネルにおいて、前記ＵＣＩを受信する場合、
前記基地局は、前記フィードバックサブフレーム内の最初のｓＰＵＣＣＨまたは最後のｓＰＵＣＣＨにおいて、前記ＵＣＩを受信し、または、
前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＣＣＨであると決定すれば、前記基地局は、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記基地局が、前記特定の短アップリンクチャネルがｓＰＵＳＣＨであると決定すれば、前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがあれば、前記基地局は、前記ＰＣＣ上のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがなければ、前記基地局は、前記フィードバックサブフレーム内の最小キャリアインデックスを有するＳＣＣに存在するｓＰＵＳＣＨにおいて、前記ＵＣＩを受信する。
【００２２】
また、前記基地局は、前記ＰＣＣ上のｓＰＵＳＣＨにおいて、前記ＵＣＩを受信する場合、前記フィードバックサブフレーム内の前記端末のＰＣＣ上に複数のｓＰＵＳＣＨがあれば、前記基地局は、前記フィードバックサブフレーム内の前記ＰＣＣ上の最初のｓＰＵＳＣＨまたは最後のｓＰＵＳＣＨにおいて、前記ＵＣＩを受信し、
または、
前記基地局は、前記フィードバックサブフレーム内の最小キャリアインデックスを有するＳＣＣに存在するｓＰＵＳＣＨにおいて、前記ＵＣＩを受信する場合、前記フィードバックサブフレーム内の最小キャリアインデックスを有する前記ＳＣＣに複数のｓＰＵＳＣＨがあれば、前記基地局は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信する。
【００２３】
他の可能な実施形態として、前記基地局が、ＵＣＩを送信するための短ＴＴＩ位置および／または短アップリンクチャネルを決定する場合、前記基地局は、前記ＵＣＩがフィードバック短ＴＴＩ位置で送信されることを決定し、
前記基地局は、ＵＣＩを送信するための短ＴＴＩ位置および／または短アップリンクチャネルを決定した後、前記基地局は、端末に第２の構成情報を送信し、前記第２の構成情報は、ＵＣＩ送信のためのフィードバック短ＴＴＩ位置の周期および／またはオフセットを示す。
【００２４】
また、前記基地局が決定された短ＴＴＩ位置および／または短アップリンクチャネルにおいて、前記ＵＣＩを受信する場合、前記基地局は、前記フィードバック短ＴＴＩ位置において、ｓＰＵＣＣＨまたはｓＰＵＳＣＨにより、前記ＵＣＩを受信する。
【００２５】
また、前記基地局は、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記基地局は、前記フィードバック短ＴＴＩ位置において、ｓＰＵＣＣＨにより前記ＵＣＩを受信し、または、
前記端末がｓＰＵＣＣＨとｓＰＵＳＣＨの同時送信をサポートしないか、または、前記フィードバック短ＴＴＩ位置にｓＰＵＳＣＨがあれば、前記基地局は、前記フィードバック短ＴＴＩ位置において、ｓＰＵＳＣＨにより前記ＵＣＩを受信する。
【００２６】
第３の態様では、第１の態様の方法を実行するように構成されたプログラムコードを記憶するコンピュータ記憶媒体が提供される。
【００２７】
第４の態様では、第２の態様の方法を実行するように構成されたプログラムコードを記憶するコンピュータ記憶媒体が提供される。
【００２８】
第５の態様によれば、端末は、
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを送信するように構成される、送信モジュールとを備える。
【００２９】
可能な一実施形態として、前記決定モジュールは、第１の構成情報を受信し、前記第１の構成情報は、ＵＣＩ送信のためのフィードバックサブフレームの周期および／またはオフセットを示し、また、前記第１の構成情報に従って、前記フィードバックサブフレームの位置を決定し、
前記送信モジュールは、前記フィードバックサブフレーム内のＵＣＩ送信のための特定の短ＴＴＩ位置または特定の短アップリンクチャネルにおいて、前記ＵＣＩを送信する。
【００３０】
任意選択で、前記送信モジュールは、前記フィードバックサブフレーム内の特定の短ＴＴＩ位置において、ｓＰＵＣＣＨまたはｓＰＵＳＣＨにより、前記ＵＣＩを送信する。
【００３１】
また、前記送信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを送信する。
【００３２】
任意選択で、前記送信モジュールは、
前記フィードバックサブフレーム内の最初のｓＰＵＣＣＨまたは最後のｓＰＵＣＣＨにおいて、前記ＵＣＩを送信し、または、
前記フィードバックサブフレーム内の最初のｓＰＵＳＣＨまたは最後のｓＰＵＳＣＨにおいて、前記ＵＣＩを送信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記特定の短アップリンクチャネルがｓＰＵＳＣＨであると決定すれば、前記フィードバックサブフレーム内の最初のｓＰＵＳＣＨまたは最後のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを送信する。
【００３３】
また、前記送信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを送信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信する。
【００３４】
他の可能な実施形態として、前記決定モジュールは、第２の構成情報を受信し、前記第２の構成情報は、ＵＣＩ送信のためのフィードバック短ＴＴＩ位置の周期および／またはオフセットを示し、また、前記第２の構成情報に従って、前記フィードバック短ＴＴＩ位置を決定し、
前記送信モジュールは、前記フィードバック短ＴＴＩ位置において、前記ＵＣＩを送信する。
【００３５】
また、前記送信モジュールは、前記フィードバック短ＴＴＩ位置において、ｓＰＵＣＣＨまたはｓＰＵＳＣＨにより、前記ＵＣＩを送信する。
【００３６】
また、前記送信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを送信する。
【００３７】
第６の態様によれば、他の端末は、送受信機と、前記送受信機と接続する少なくとも１つのプロセッサとを備え、
前記プロセッサは、メモリに格納されたプログラムを読み出し、第１の態様の方法を実行し、
前記送受信機は、前記プロセッサの制御下でデータを送受信するように構成される。
【００３８】
第７の態様によれば、他の基地局は、
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを受信するように構成される、受信モジュールとを備える。
【００３９】
可能な一実施形態として、前記決定モジュールは、
ＵＣＩ送信のためのフィードバックサブフレームにおいて、前記ＵＣＩが、ＵＣＩ送信のための特定の短ＴＴＩ位置、または特定の短アップリンクチャネルにおいて送信されることを決定し、
端末に第１の構成情報を送信し、前記第１の構成情報は、前記フィードバックサブフレームの周期および／またはオフセットを示す。
【００４０】
任意選択で、前記受信モジュールは、前記フィードバックサブフレーム内のＵＣＩ送信のための特定の短ＴＴＩ位置において、ｓＰＵＣＣＨまたはｓＰＵＳＣＨにより、前記ＵＣＩを受信する。
【００４１】
また、前記受信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを受信する。
【００４２】
任意選択で、前記受信モジュールは、
前記フィードバックサブフレーム内の最初のｓＰＵＣＣＨまたは最後のｓＰＵＣＣＨにおいて、前記ＵＣＩを受信し、または、
前記フィードバックサブフレーム内の最初のｓＰＵＳＣＨまたは最後のｓＰＵＳＣＨにおいて、前記ＵＣＩを受信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記特定の短アップリンクチャネルがＰＵＣＣＨであると決定すれば、前記フィードバックサブフレーム内の最初のｓＰＵＳＣＨまたは最後のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを受信する。
【００４３】
また、前記受信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを受信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信する。
【００４４】
他の可能な実施形態として、前記決定モジュールは、
前記ＵＣＩがフィードバック短ＴＴＩ位置で送信されることを決定し、端末に第２の構成情報を送信し、前記第２の構成情報は、ＵＣＩ送信のためのフィードバック短ＴＴＩ位置の周期および／またはオフセットを示す。
【００４５】
また、前記受信モジュールは、
前記フィードバック短ＴＴＩ位置において、ｓＰＵＣＣＨまたはｓＰＵＳＣＨにより、前記ＵＣＩを受信する。
【００４６】
また、前記受信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを受信し、
または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを受信する。
【００４７】
第８の態様によれば、他の基地局は、送受信機と、前記送受信機と接続する少なくとも１つのプロセッサとを備え、
前記プロセッサは、メモリに格納されたプログラムを読み出し、第２の態様の方法を実行し、
前記送受信機は、前記プロセッサの制御下でデータを送受信するように構成される。
【発明の効果】
【００４８】
本発明に係る実施例による方法及び装置によれば、端末は、まず、ＵＣＩを送信するための短ＴＴＩ位置および／または短アップリンクチャネルを決定して、決定された短ＴＴＩ位置および／または短アップリンクチャネルにおいて、前記ＵＣＩを送信する。また、基地局は、まず、ＵＣＩを送信するための短ＴＴＩ位置および／または短アップリンクチャネルを決定して、決定された短ＴＴＩ位置および／または短アップリンクチャネルにおいて、前記ＵＣＩを受信し、こうして、短ＴＴＩで周期的ＵＣＩを送信するための解決策が提供されるので、ＵＣＩは通常短ＴＴＩで周期的送信できる。
【図面の簡単な説明】
【００４９】
【図１】ＬＴＥ ＦＤＤシステムに利用されるフレーム構成ＦＳ１の概略図である。
【図２】ＬＴＥ ＴＤＤシステムに利用されるフレーム構成ＦＳ２の概略図である。
【図３】本発明の実施例に係るアップリンク制御情報（ＵＣＩ）を送信するための方法のフローチャートである。
【図４】本発明の実施例に係るアップリンク制御情報（ＵＣＩ）を受信するための方法のフローチャートである。
【図５Ａ】本発明に係る実施例１によるＳＲ送信の概略図である。
【図５Ｂ】本発明に係る実施例１によるＳＲ送信の概略図である。
【図６Ａ】本発明に係る実施例２による他のＳＲ送信の概略図である。
【図６Ｂ】本発明に係る実施例２による他のＳＲ送信の概略図である。
【図７Ａ】本発明に係る実施例２による他のＳＲ送信の概略図である。
【図７Ｂ】本発明に係る実施例２による他のＳＲ送信の概略図である。
【図８Ａ】本発明に係る実施例２による他のＳＲ送信の概略図である。
【図８Ｂ】本発明に係る実施例２による他のＳＲ送信の概略図である。
【図９Ａ】本発明に係る実施例３によるＳＲ送信の概略図である。
【図９Ｂ】本発明に係る実施例３によるＳＲ送信の概略図である。
【図１０】本発明の実施例に係る端末の概略図である。
【図１１】本発明の実施例に係る他の端末の概略図である。
【図１２】本発明の実施例に係る基地局の概略図である。
【図１３】本発明の実施例に係る基地局の概略図である。
【発明を実施するための形態】
【００５０】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００５１】
図３に示す実施例によるアップリンク制御情報（ＵＣＩ）を送信するための方法は、以下のステップを備える。
【００５２】
Ｓ３１において、端末は、ＵＣＩを送信するための短ＴＴＩ位置および／または短アップリンクチャネルを決定する。
【００５３】
Ｓ３２において、前記端末は、決定された短ＴＴＩ位置および／または短アップリンクチャネルにおいて、前記ＵＣＩを送信する。
【００５４】
具体的に、Ｓ３１では、ＵＣＩを送信するための短ＴＴＩ位置を決定すれば、Ｓ３２では、決定された短ＴＴＩ位置において、前記ＵＣＩを送信する。Ｓ３１では、ＵＣＩを送信するための短アップリンクチャネルを決定すれば、Ｓ３２では、決定された短アップリンクチャネルにおいて、前記ＵＣＩを送信する。Ｓ３１では、ＵＣＩを送信するための短ＴＴＩ位置及び短アップリンクチャネルを決定すれば、Ｓ３２では、決定された短ＴＴＩ位置において、決定された短アップリンクチャネルにより、前記ＵＣＩを送信する。
【００５５】
本発明に係る実施例では、端末は、まず、ＵＣＩを送信するための短ＴＴＩ位置および／または短アップリンクチャネルを決定して、決定された短ＴＴＩ位置および／または短アップリンクチャネルにおいて、前記ＵＣＩを送信する。こうして、短ＴＴＩでＵＣＩを周期的送信する解決策が提供され、周期ＵＣＩが短ＴＴＩで正常に送信することが確保できる。
【００５６】
本発明に係る実施例では、前記ＵＣＩは、スケジューリング要求（Ｓｃｈｅｄｕｌｉｎｇ Ｒｅｑｕｅｓｔ，ＳＲ）情報と、周期チャネル状態情報（Ｐｅｒｉｏｄｉｃ Ｃｈａｎｎｅｌ Ｓｔａｔｅ Ｉｎｆｏｒｍａｔｉｏｎ，Ｐ−ＣＳＩ）とを含むが、これに限られない。
【００５７】
本発明に係る実施例では、Ｓ３１において、前記端末は、以下２つの実施態様で、ＵＣＩを送信するための短ＴＴＩ位置および／または短アップリンクチャネルを決定する。
【００５８】
＜態様１＞前記端末は、第１の構成情報を受信し、前記第１の構成情報は、ＵＣＩ送信のためのフィードバックサブフレームの周期および／またはオフセットを示し、また、前記第１の構成情報に従って、前記フィードバックサブフレームの位置を決定する。
【００５９】
当該態様では、前記第２の構成情報は、上位層のシグナリングまたはブロードキャストシグナリングまたは物理層の制御シグナリング（例えば、ＰＤＣＣＨ／ｓＰＤＣＣＨなど）により送信される。
【００６０】
任意選択で、複数のキャリアが端末について集約されるとき、基地局は各キャリアについて別々に第２の第１の構成情報を送信することができる。
【００６１】
当該態様では、前記第１の構成情報は、ＵＣＩを送信するためのフィードバックサブフレームの周期とオフセットの両方をサブフレーム単位で示す。
【００６２】
任意選択で、前記フィードバックサブフレームにおいて、前記ＵＣＩを送信するための１つまたは複数の特定の短ＴＴＩ位置を事前に定義または構成することができる。
【００６３】
任意選択で、前記フィードバックサブフレーム内で、前記ＵＣＩを送信するため、１つまたは複数の特定の短アップリンクチャネルを事前に定義または構成する。
【００６４】
当該態様では、Ｓ３２において、前記端末は、決定された短ＴＴＩ位置および／または短アップリンクチャネルにおいて、前記ＵＣＩを送信することは、具体的に、前記端末は、前記フィードバックサブフレーム内のＵＣＩ送信のための特定の短ＴＴＩ位置または特定の短アップリンクチャネルにおいて、前記ＵＣＩを送信する。
【００６５】
（あ）前記端末が前記フィードバックサブフレーム内の特定の短ＴＴＩ位置において、前記ＵＣＩを送信する場合、前記端末は、前記フィードバックサブフレーム内のＵＣＩ送信のための特定の短ＴＴＩ位置において、ｓＰＵＣＣＨまたはｓＰＵＳＣＨにより、前記ＵＣＩを送信する。
【００６６】
また、前記端末は、以下２つの可能な実施態様で、前記フィードバックサブフレーム内のＵＣＩ送信のための特定の短ＴＴＩ位置において、ｓＰＵＣＣＨまたはｓＰＵＳＣＨにより、前記ＵＣＩを送信する。
【００６７】
態様Ａ、前記端末がｓＰＵＣＣＨとｓＰＵＳＣＨの同時送信をサポートするか、または、前記特定の短ＴＴＩ位置にｓＰＵＳＣＨがなければ、前記端末は、前記フィードバックサブフレーム内の特定の短ＴＴＩ位置において、ｓＰＵＣＣＨにより前記ＵＣＩを送信する。
【００６８】
態様Ｂ、前記端末がｓＰＵＣＣＨとｓＰＵＳＣＨの同時送信をサポートせず、かつ前記特定の短ＴＴＩ位置にｓＰＵＳＣＨがあれば、前記端末は、前記フィードバックサブフレーム内の特定の短ＴＴＩ位置において、ｓＰＵＳＣＨにより前記ＵＣＩを送信する。
【００６９】
（い）前記端末は、前記フィードバックサブフレーム内の特定の短アップリンクチャネルにおいて、前記ＵＣＩを送信する場合、いかいくつかの可能な実施態様がある。
【００７０】
態様ａ、前記端末は、前記フィードバックサブフレーム内の最初のｓＰＵＣＣＨまたは最後のｓＰＵＣＣＨにおいて、前記ＵＣＩを送信する。
【００７１】
当該態様では、前記端末は、デフォルトで、前記特定の短アップリンクチャネルを、前記フィードバックサブフレーム内の最初のｓＰＵＣＣＨまたは最後のｓＰＵＣＣＨとして決定する。前記端末は、前記フィードバックサブフレーム内の最初のｓＰＵＣＣＨまたは最後のｓＰＵＣＣＨにおいて、前記ＵＣＩを送信する。
【００７２】
態様ｂ、前記端末は、前記フィードバックサブフレーム内の最初のｓＰＵＳＣＨまたは最後のｓＰＵＳＣＨにおいて、前記ＵＣＩを送信する。
【００７３】
当該態様では、前記端末デフォルトで、前記特定の短アップリンクチャネルを、前記フィードバックサブフレーム内の最初のｓＰＵＳＣＨまたは最後のｓＰＵＳＣＨとして決定する。前記端末は、前記フィードバックサブフレーム内の最初のｓＰＵＳＣＨまたは最後のｓＰＵＳＣＨにおいて、前記ＵＣＩを送信する。
【００７４】
態様ｃ、前記ＵＣＩがｓＰＵＣＣＨにより送信され、即ち、端末が前記特定の短アップリンクチャネルをｓＰＵＣＣＨとして決定する場合、例えば、端末がｓＰＵＣＣＨとｓＰＵＳＣＨの同時送信をサポートするか、または前記短ＴＴＩ位置にｓＰＵＳＣＨ送信がなければ、以下２つの可能な実施態様がさらに含む。
【００７５】
態様ｃ１、前記端末は、前記フィードバックサブフレーム内の最初のｓＰＵＣＣＨまたは最後のｓＰＵＣＣＨにおいて、前記ＵＣＩを送信する。
【００７６】
または、
態様ｃ２、前記端末は、前記フィードバックサブフレーム内の最初の短ＴＴＩまたは最後の短ＴＴＩにおいて、前記特定の短アップリンクチャネルにより前記ＵＣＩを送信する。
【００７７】
態様ｃにおいて、端末は、まず、前記特定の短アップリンクチャネルを決定して、前記ＵＣＩを送信するための特定の短アップリンクチャネルを選択する。
【００７８】
態様ｄ、前記ＵＣＩがｓＰＵＳＣＨにより送信され、即ち、端末が前記特定の短アップリンクチャネルをｓＰＵＳＣＨとして決定すれば、例えば、端末はｓＰＵＣＣＨとｓＰＵＳＣＨの同時送信をサポートせず、かつ、前記事前に定義または構成された短ＴＴＩ位置にｓＰＵＳＣＨでの送信があれば、以下３つの可能な実施態様をさらに含む。
【００７９】
態様ｄ１、前記端末は、前記フィードバックサブフレーム内の最初のｓＰＵＳＣＨまたは最後のｓＰＵＳＣＨにおいて、前記ＵＣＩを送信する。
【００８０】
態様ｄ２、端末が複数のキャリアを集約する場合、前記端末のプライマリコンポーネントキャリア（Ｐｒｉｍａｒｙ Ｃｏｍｐｏｎｅｎｔ Ｃａｒｒｉｅｒ，ＰＣＣ）が前記フィードバックサブフレームにおいてｓＰＵＳＣＨを有すれば、前記端末は、前記ＰＣＣ上のｓＰＵＳＣＨにおいて、前記ＵＣＩを送信する。
【００８１】
当該態様では、前記フィードバックサブフレーム内の前記端末のＰＣＣ上に複数のｓＰＵＳＣＨがあれば、前記端末は、前記フィードバックサブフレーム内の前記ＰＣＣ上の最初のｓＰＵＳＣＨまたは最後のｓＰＵＳＣＨにおいて、前記ＵＣＩを送信する。
【００８２】
態様ｄ３、端末が複数のキャリアを集約する場合、前記フィードバックサブフレーム内の前記端末のＰＣＣにｓＰＵＳＣＨがなければ、前記端末は、前記フィードバックサブフレーム内の最小キャリアインデックスを有するセカンダリコンポーネントキャリア（Ｓｅｃｏｎｄａｒｙ Ｃｏｍｐｏｎｅｎｔ Ｃａｒｒｉｅｒ，ＳＣＣ）上のｓＰＵＳＣＨにおいて、前記ＵＣＩを送信する。
【００８３】
態様ｄでは、端末は、まず、前記特定の短アップリンクチャネルを決定して、前記ＵＣＩを送信するための特定の短アップリンクチャネルを選択する。
【００８４】
当該態様では、前記フィードバックサブフレーム内の最小キャリアインデックスを有する前記ＳＣＣに複数のｓＰＵＳＣＨがあれば、前記端末は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信する。
【００８５】
態様２、前記端末は、第２の構成情報を受信し、前記第２の構成情報は、ＵＣＩ送信のためのフィードバック短ＴＴＩ位置の周期および／またはオフセットを示す。また、前記第２の構成情報に従って、前記フィードバック短ＴＴＩ位置を決定する。
【００８６】
当該態様では、前記第２の構成情報は、上位層のシグナリングまたはブロードキャストシグナリングまたは物理層の制御シグナリング（例えば、ＰＤＣＣＨ／ｓＰＤＣＣＨなど）により送信される。
【００８７】
任意選択で、複数のキャリアが端末について集約されるとき、基地局は各キャリアについて別々に第２の第１の構成情報を送信することができる。
【００８８】
任意選択で、前記第２の構成情報は、ＵＣＩ送信のためのフィードバック短ＴＴＩ位置の周期および／またはオフセットを示し、短ＴＴＩ長を単位とする。
【００８９】
任意選択で、前記短ＴＴＩ長はアップリンク短ＴＴＩ長である。
【００９０】
当該態様では、Ｓ３２は具体的に、前記端末は、前記フィードバック短ＴＴＩ位置において、前記ＵＣＩを送信する。
【００９１】
また、前記端末は、前記フィードバック短ＴＴＩ位置において、ｓＰＵＣＣＨまたはｓＰＵＳＣＨにより、前記ＵＣＩを送信する。
【００９２】
具体的に、前記端末がｓＰＵＣＣＨとｓＰＵＳＣＨの同時送信をサポートするか、または、前記フィードバック短ＴＴＩ位置にｓＰＵＳＣＨがなければ、前記端末は、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記端末は、前記フィードバック短ＴＴＩ位置において、ｓＰＵＳＣＨにより前記ＵＣＩを送信する。
【００９３】
同様な発明思想に基づき、図４に示す実施例はアップリンク制御情報（ＵＣＩ）を受信するための方法をさらに提供し、図３に示す実施例の送信方法と対応する。当該方法は以下のステップを備える。
【００９４】
Ｓ４１において、基地局は、ＵＣＩを送信するための短ＴＴＩ位置および／または短アップリンクチャネルを決定する。
【００９５】
Ｓ４２において前記基地局は、決定された短ＴＴＩ位置および／または短アップリンクチャネルにおいて、前記ＵＣＩを受信する。
【００９６】
具体的に、Ｓ４１ＵＣＩを送信するための短ＴＴＩ位置を決定すれば、Ｓ４２では、決定された短ＴＴＩ位置において、前記ＵＣＩを受信する。Ｓ４１ＵＣＩを送信するための短アップリンクチャネルを決定すれば、Ｓ４２では、決定された短アップリンクチャネルにおいて、前記ＵＣＩを受信する。Ｓ４１ＵＣＩを送信するための短ＴＴＩ位置及び短アップリンクチャネルを決定すれば、Ｓ４２では、決定された短ＴＴＩ位置において、決定された短アップリンクチャネルにより、前記ＵＣＩを受信する。
【００９７】
本発明に係る実施例では、基地局は、まず、ＵＣＩを送信するための短ＴＴＩ位置および／または短アップリンクチャネルを決定して、決定された短ＴＴＩ位置および／または短アップリンクチャネルにおいて、前記ＵＣＩを受信することにより、短ＴＴＩで周期ＵＣＩを受信する解決策を提供し、周期ＵＣＩが短ＴＴＩ内で正常に受信できるようにする。
【００９８】
１つの可能な実施態様として、前記基地局が、ＵＣＩを送信するための短ＴＴＩ位置および／または短アップリンクチャネルを決定する場合、前記基地局は、ＵＣＩ送信のためのフィードバックサブフレームにおいて、ＵＣＩ送信のための特定の短ＴＴＩ位置、または特定の短アップリンクチャネルにおいて送信されることを決定する。
【００９９】
これに応じて、前記基地局は、ＵＣＩを送信するための短ＴＴＩ位置および／または短アップリンクチャネルを決定した後、前記基地局は、端末に第１の構成情報を送信し、前記第１の構成情報は、前記フィードバックサブフレームの周期および／またはオフセットを示す。
【０１００】
ここで、前記第１の構成情報は、図３に示す実施例の関連記載を参考されたい。
【０１０１】
また、前記基地局が決定された短ＴＴＩ位置および／または短アップリンクチャネルにおいて、前記ＵＣＩを受信する場合、前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する。
【０１０２】
また、前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する場合、
前記端末がｓＰＵＣＣＨとｓＰＵＳＣＨの同時送信をサポートするか、または、前記特定の短ＴＴＩ位置にｓＰＵＳＣＨがなければ、前記基地局は、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記基地局は、前記フィードバックサブフレーム内の特定の短ＴＴＩ位置において、ｓＰＵＳＣＨにより前記ＵＣＩを受信する。
【０１０３】
また、前記基地局は、前記フィードバックサブフレーム内のＵＣＩ送信のための特定の短アップリンクチャネルにおいて、前記ＵＣＩを受信する場合、
前記基地局は、前記フィードバックサブフレーム内の最初のｓＰＵＣＣＨまたは最後のｓＰＵＣＣＨにおいて、前記ＵＣＩを受信し、または、
前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＣＣＨであると決定すれば、前記基地局は、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記基地局が、前記特定の短アップリンクチャネルがｓＰＵＳＣＨであると決定すれば、前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがあれば、前記基地局は、前記ＰＣＣ上のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがなければ、前記基地局は、前記フィードバックサブフレーム内の最小キャリアインデックスを有するＳＣＣ上のｓＰＵＳＣＨにおいて、前記ＵＣＩを受信する。
【０１０４】
また、前記基地局は、前記ＰＣＣ上のｓＰＵＳＣＨにおいて、前記ＵＣＩを受信する場合、前記フィードバックサブフレーム内の前記端末のＰＣＣ上に複数のｓＰＵＳＣＨがあれば、前記基地局は、前記フィードバックサブフレーム内の前記ＰＣＣ上の最初のｓＰＵＳＣＨまたは最後のｓＰＵＳＣＨにおいて、前記ＵＣＩを受信し、
または、
前記基地局は、前記フィードバックサブフレーム内の最小キャリアインデックスを有するＳＣＣ上のｓＰＵＳＣＨにおいて、前記ＵＣＩを受信する場合、前記フィードバックサブフレーム内の最小キャリアインデックスを有する前記ＳＣＣに複数のｓＰＵＳＣＨがあれば、前記基地局は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信する。
【０１０５】
他の可能な実施態様として、前記基地局が、ＵＣＩを送信するための短ＴＴＩ位置および／または短アップリンクチャネルを決定する場合、前記基地局は、前記ＵＣＩをフィードバック短ＴＴＩ位置において送信することを決定する。
【０１０６】
これに応じて、前記基地局は、ＵＣＩを送信するための短ＴＴＩ位置および／または短アップリンクチャネルを決定した後、前記基地局は、端末に第２の構成情報を送信し、前記第２の構成情報は、ＵＣＩ送信のためのフィードバック短ＴＴＩ位置の周期および／またはオフセットを示す。
【０１０７】
ここで、前記第２の構成情報は、図３に示す実施例の関連記載を参考されたい。
【０１０８】
また、前記基地局が決定された短ＴＴＩ位置および／または短アップリンクチャネルにおいて、前記ＵＣＩを受信する場合、前記基地局は、前記フィードバック短ＴＴＩ位置において、ｓＰＵＣＣＨまたはｓＰＵＳＣＨにより、前記ＵＣＩを受信する。
【０１０９】
また、前記基地局は、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記基地局は、前記フィードバック短ＴＴＩ位置において、ｓＰＵＣＣＨにより前記ＵＣＩを受信し、または、
前記端末がｓＰＵＣＣＨとｓＰＵＳＣＨの同時送信をサポートしないか、または、前記フィードバック短ＴＴＩ位置にｓＰＵＳＣＨがあれば、前記基地局は、前記フィードバック短ＴＴＩ位置において、ｓＰＵＳＣＨにより前記ＵＣＩを受信する。
【０１１０】
本発明の一実施形態によるアップリンク制御情報（ＵＣＩ）を送信する方法を、以下の３つの特定の実施形態に関連して以下に詳細に説明する。
【０１１１】
実施例１：本実施例では、ＳＲがフィードバックされ、短ＴＴＩが２シンボルの長さを有する例を用いて本実施形態を説明する。例えば、表１は、ＳＲのフィードバック周期およびサブフレームオフセットを示し、これらは両方ともサブフレームの単位で構成され、ここで、ｓｒ−ＣｏｎｆｉｇＩｎｄｅｘ ＩＳＲは上位層シグナリングにより事前に構成されたパラメータであり、当該パラメータを用いて表を参照することにより、ＳＲフィードバック周期ＳＲＰＥＲＩＯＤＩＣＩＴＹ及びＳＲサブフレームオフセットＮＯＦＦＳＥＴ，ＳＲを取得できる。フィードバック周期及びオフセット応じて、式
【数１】
2019530361.tif 000003
を満たすサブフレームをＳＲのフィードバックサブフレームとして決定する。ここで、ｎｆは無線フレームインデックスであり、ｎｓはスロットインデックスであり、ｍｏｄはモジュラス演算である。
【０１１２】
【表１】
2019530361.tif 000004
【０１１３】
１）基地局は、ＳＲのフィードバックサブフレームを決定し、対応のＩＳＲ値を決定して、上位層シグナリングにより、端末に対して構成する。
【０１１４】
２）基地局は、シグナリングにより構成するか、または、各フィードバックサブフレーム内の１つまたは複数の短ＴＴＩ位置をＳＲを送信するための短ＴＴＩ位置とするように、端末と事前に約定する。例えば、図５Ａ及び図５Ｂに示すように、各フィードバックサブフレーム内の１番目及び４番目の短ＴＴＩを、ＳＲ送信のための短ＴＴＩ位置とする。もちろん、代替として、１つの短ＴＴＩ位置だけが定義されてもよく、例えば、最初の短ＴＴＩ位置は、ＳＲを送信するための短ＴＴＩ位置などである。本実施例では２つの短ＴＴＩでＳＲを送信する例を挙げたが、他の場合も類似するため、ここでの繰り返しの説明は省略する。
【０１１５】
３）端末は、上位層シグナリングを受信して、ＩＳＲ値を取得しその値を用いて表１を参照することによってＳＲのフィードバックサブフレームを取得する。さらに、基地局の構成シグナリングまたは基地局との事前約定したがって、各フィードバックサブフレーム内の１つまたは複数の短ＴＴＩ位置を、ＳＲ送信するための短ＴＴＩ位置として決定する。例えば、各フィードバックサブフレーム内の１番目及び４番目の短ＴＴＩを、ＳＲ送信のための短ＴＴＩ位置とする。
【０１１６】
４）端末は、ＳＲのフィードバックサブフレーム内のＳＲ送信のための短ＴＴＩ位置でＳＲを送信するかどうかを決定する（例えば、ポジティブＳＲ（ｐｏｓｉｔｉｖｅ ＳＲ）または他のＵＣＩをともに送信、以下同じ）。必要がなければ、端末が当該フィードバックサブフレーム内の当該短ＴＴＩ位置においてＳＲを送信しない。必要があれば、端末は、当該フィードバックサブフレーム内の当該短ＴＴＩ位置において、ｓＰＵＣＣＨによりまたはｓＰＵＳＣＨ送信ＳＲ。
【０１１７】
Ａ、ｓＰＵＣＣＨとｓＰＵＳＣＨの同時送信がサポートされている場合、または当該ＳＲ送信のための短ＴＴＩ位置にｓＰＵＳＣＨ送信がなければ、端末は、ｓＰＵＣＣＨによりＳＲを送信する。
【０１１８】
具体的に、当該ＳＲ送信のための短ＴＴＩ位置にＳＲのみがあれば、端末は、ＳＲに対応するｓＰＵＣＣＨリソースにおいて、ｓＰＵＣＣＨによりＳＲを送信する。当該ＳＲ送信のための短ＴＴＩ位置に他のＵＣＩもあれば、たとえば、ＡＣＫ／ＮＡＣＫ（短ダウンリンク（ＤＬ） ＴＴＩのＡＣＫ／ＮＡＣＫおよび／または１ｍｓ ＤＬ ＴＴＩのＡＣＫ／ＮＡＣＫを含む）、端末は、ＡＣＫ／ＮＡＣＫに対応するｓＰＵＣＣＨリソースにおいて、ｓＰＵＣＣＨによりのＳＲ及びＡＣＫ／ＮＡＣＫを同時に送信する。
【０１１９】
Ｂ、ｓＰＵＣＣＨとｓＰＵＳＣＨの同時送信をサポートせず、かつ当該ＳＲ送信のための短ＴＴＩ位置にｓＰＵＳＣＨ送信があれば、端末はｓＰＵＳＣＨによりＳＲを送信する（バッファー状態報告（Ｂｕｆｆｅｒ Ｓｔａｔｕｓ Ｒｅｐｏｒｔ，ＢＳＲ）としてデータとともに送信される）。
【０１２０】
５）基地局は、決定されたＳＲフィードバックサブフレーム内のＳＲ送信のための短ＴＴＩ位置において、ＳＲをブラインド検出する。具体的には、以下の通りである。
【０１２１】
Ａ、ｓＰＵＣＣＨとｓＰＵＳＣＨの同時送信をサポートするか、または当該ＳＲ送信のための短ＴＴＩ位置にｓＰＵＳＣＨ送信がなければ（即ち、基地局は当該短ＴＴＩでｓＰＵＳＣＨをスケジューリングしていない）、基地局は、ｓＰＵＣＣＨにおいてＳＲを検出する。
【０１２２】
具体的に、当該ＳＲ送信のための短ＴＴＩ位置にＳＲのみがあれば、基地局は、ＳＲに対応するｓＰＵＣＣＨリソースにおいて、ＳＲを検出する。当該ＳＲ送信のための短ＴＴＩ位置に他のＵＣＩもあれば、例えば、ＡＣＫ／ＮＡＣＫ（短ＤＬ ＴＴＩのＡＣＫ／ＮＡＣＫおよび／または１ｍｓ ＤＬＤＬ ＴＴＩのＡＣＫ／ＮＡＣＫを含む）。基地局は、ＡＣＫ／ＮＡＣＫに対応するｓＰＵＣＣＨリソースにおいて、ＳＲとＡＣＫ／ＮＡＣＫを検出する。
【０１２３】
Ｂ、ｓＰＵＣＣＨとｓＰＵＳＣＨの同時送信をサポートせず、かつ当該ＳＲ送信のための短ＴＴＩ位置にｓＰＵＳＣＨ送信があれば、（即ち、基地局は当該短ＴＴＩでｓＰＵＳＣＨをスケジューリングする）は、基地局は、ｓＰＵＳＣＨにおいて、ＳＲを検出する（ＢＳＲとしてデータとともに送信する）。
【０１２４】
ここで、基地局が上述の短ＴＴＩでｓＰＵＳＣＨを検出できなかった場合、端末が当該ＳＰＵＳＣＨのスケジューリングシグナリングを紛失したと判断する。基地局は、さらにｓＰＵＣＣＨによりＳＲを検出する。流れは、ｓＰＵＣＣＨにおける検出と同じである。
【０１２５】
実施例２：本実施例では、ＳＲがフィードバックされ、短ＴＴＩが２シンボルの長さを有する例を用いて本実施形態を説明する。例えば、サブフレームを単位として、ＳＲのフィードバック周期及びサブフレームオフセットを構成し、具体的に実施例１の関連記載を参考されたい。
【０１２６】
１）基地局は、ＳＲのフィードバックサブフレームを決定し、対応のＩＳＲ値を決定し、上位層シグナリングにより端末に対して構成する。
【０１２７】
２）端末は、上位層シグナリングを受信し、ＩＳＲ値を取得刷る。当該値を表１を参照することにより、ＳＲのフィードバックサブフレームを取得する。
【０１２８】
３）端末は、ＳＲのフィードバックサブフレームにおいてＳＲを送信するかどうかを決定し（例えば、ｐｏｓｉｔｉｖｅ ＳＲがあり、または他のＵＣＩと同時送信）、必要がなければ、ＳＲを送信しない。必要があれば、以下の通りである。
【０１２９】
Ａ、ｓＰＵＣＣＨにより送信することを決定する場合（例えば、ｓＰＵＳＣＨスケジューリングがあり、または、ｓＰＵＳＣＨスケジューリングがありかつｓＰＵＣＣＨとｓＰＵＳＣＨの同時送信をサポートする）、端末は構成シグナリングまたは事前の約定に従って、図６Ａ及び図６Ｂに示すように、当該フィードバックサブフレーム内の最初のｓＴＴＩ位置において、ｓＰＵＣＣＨによりＳＲを送信することを決定する。
【０１３０】
具体的に、当該フィードバックサブフレームにＳＲのみが存在すれば、端末は、ＳＲに対応するｓＰＵＣＣＨリソースにおいて、ｓＰＵＣＣＨによりＳＲを送信する。当該フィードバックサブフレームに他のＵＣＩ、例えば、ＡＣＫ／ＮＡＣＫもあれば（短ＤＬ ＴＴＩのＡＣＫ／ＮＡＣＫおよび／または１ｍｓ ＤＬ ＴＴＩのＡＣＫ／ＮＡＣＫを含む）、端末は、ＡＣＫ／ＮＡＣＫに対応するｓＰＵＣＣＨリソースにおいて、ｓＰＵＣＣＨによりのＳＲ及びＡＣＫ／ＮＡＣＫを同時に送信する。
【０１３１】
Ｂ、ｓＰＵＳＣＨにより送信することを決定する場合（例えば、ｓＰＵＳＣＨスケジューリングがありｓＰＵＣＣＨとｓＰＵＳＣＨの同時送信をサポートしない）、端末は、構成シグナリングまたは事前約定に従って、当該フィードバックサブフレーム内の最初のｓＰＵＳＣＨ（当該最初のｓＰＵＳＣＨは当該フィードバックサブフレーム内の最初のｓＴＴＩで送信されるｓＰＵＳＣＨではない可能性もある。本実施例の図６Ａ及び図６Ｂでは、最初のｓＴＴＩにｓＰＵＳＣＨ送信があることを例としたが、ｓＰＵＳＣＨの現在のフィードバックサブフレーム内の位置は、基地局スケジューリングにより決定され、２番目の短ＴＴＩまたはその後の短ＴＴＩに存在することもできる。以下同じ）においてＳＲを送信することを決定する。
【０１３２】
１つの実施態様では、端末は、いつも、当該フィードバックサブフレーム内の最初のｓＰＵＳＣＨを選択して、ＳＲを送信する。図７Ａ及び図７Ｂに示すように、端末が複数のキャリアを集約した場合、端末は、複数のキャリア上の、当該フィードバックサブフレーム内の最初のｓＰＵＳＣＨを選択して、ＳＲを送信する。
【０１３３】
他の実施態様では、図８Ａ及び図８Ｂに示すように、当該フィードバックサブフレーム内のＰＣＣにｓＰＵＳＣＨ送信があれば、端末は、ＰＣＣ上のｓＰＵＳＣＨにおいて、ＳＲを送信する。ＰＣＣ上の当該フィードバックサブフレームに複数のｓＰＵＳＣＨがあれば、端末は、最初のｓＰＵＳＣＨにおいてＳＲを送信する。当該フィードバックサブフレーム内のＰＣＣにｓＰＵＳＣＨ送信がなければ、端末は、当該フィードバックサブフレーム内の最小キャリアインデックスを有するＳＣＣ上のｓＰＵＳＣＨにおいて、ＳＲを送信する。当該ＳＣＣ上の、当該フィードバックサブフレームに複数のｓＰＵＳＣＨがあれば、端末は、最初のｓＰＵＳＣＨにおいてＳＲを送信する。
【０１３４】
４）基地局は、決定されたＳＲのフィードバックサブフレームにおいて、ＳＲをブラインド検出し、具体的には以下の通りである。
【０１３５】
Ａ、基地局が当該フィードバックサブフレームでｓＰＵＣＣＨによりＳＲを送信すると決定する場合（例えば、ｓＰＵＳＣＨスケジューリングがない、または、ｓＰＵＳＣＨスケジューリングがありかつｓＰＵＣＣＨとｓＰＵＳＣＨの同時送信をサポートする）、基地局は、構成シグナリングまたは事前約定に従って、当該フィードバックサブフレーム内の最初のｓＴＴＩ位置においてｓＰＵＣＣＨによりＳＲを検出する事を決定する。
【０１３６】
具体的に、当該フィードバックサブフレームにＳＲのみがあると決定すると、基地局は、ＳＲに対応するｓＰＵＣＣＨリソースにおいて、ｓＰＵＣＣＨによりＳＲを検出する。当該フィードバックサブフレームに他のＵＣＩ、例えばＡＣＫ／ＮＡＣＫもあれば（短ＤＬ ＴＴＩのＡＣＫ／ＮＡＣＫおよび／または１ｍｓ ＤＬ ＴＴＩのＡＣＫ／ＮＡＣＫを含む）、基地局は、ＡＣＫ／ＮＡＣＫに対応するｓＰＵＣＣＨリソースにおいて、ｓＰＵＣＣＨによりＳＲとＡＣＫ／ＮＡＣＫを検出する。
【０１３７】
Ｂ、基地局がｓＰＵＳＣＨにより送信することを決定する場合（例えば、ｓＰＵＳＣＨスケジューリングがありｓＰＵＣＣＨとｓＰＵＳＣＨの同時送信をサポートしない）、基地局は、構成シグナリングまたは事前約定に従って、当該フィードバックサブフレーム内の最初のｓＰＵＳＣＨにおいて（即ち、基地局によりスケジューリングした最初のｓＰＵＳＣＨがサブフレーム内の最初のｓＴＴＩ内で送信されない可能性がある）ＳＲを取得することを決定する。
【０１３８】
実施態様では、基地局は、いつも、当該フィードバックサブフレーム内の最初のｓＰＵＳＣＨを選択してＳＲを検出する。端末が複数のキャリアを集約すれば、基地局は、複数のキャリアを選択して、当該フィードバックサブフレーム内の最初のｓＰＵＳＣＨにおいて、ＳＲを検出する。
【０１３９】
他の実施態様では、当該フィードバックサブフレーム内のＰＣＣにｓＰＵＳＣＨ送信があれば（即ち、基地局がｓＰＵＳＣＨをスケジューリングした。以下同じ）、基地局は、ＰＣＣ上のｓＰＵＳＣＨにおいて、ＳＲを検出する。ＰＣＣ上に、当該フィードバックサブフレームに複数のｓＰＵＳＣＨがあれば、基地局は、最初のｓＰＵＳＣＨにおいて、ＳＲを検出する。当該フィードバックサブフレーム内のＰＣＣにｓＰＵＳＣＨ送信がなければ、基地局は、当該フィードバックサブフレーム内の最小キャリアインデックスを有するＳＣＣ上のｓＰＵＳＣＨにおいて、ＳＲを検出する。当該ＳＣＣ上に、当該フィードバックサブフレームに複数のｓＰＵＳＣＨがあれば、基地局は、最初のｓＰＵＳＣＨにおいて、ＳＲを検出する。
【０１４０】
ここで、基地局が上述のスケジューリングされた最初のｓＰＵＳＣＨにより送信された短ＴＴＩ内でｓＰＵＳＣＨを検出できていなければ、端末が当該ＳＰＵＳＣＨのスケジューリングシグナリングを紛失したと判断する（端末側では、基地局によりスケジューリングされた２番目のｓＰＵＳＣＨを１番目のｓＰＵＳＣＨとする）。基地局は、次のスケジューリングされたｓＰＵＳＣＨにおいてＳＲの取得を試すことができる。
【０１４１】
実施例３：本実施例では、ＳＲがフィードバックされ、短ＴＴＩが２シンボルの長さを有する例を用いて本実施形態を説明する。例えば、ＳＲのフィードバック周期及びサブフレームオフセットは、２シンボルの短ＴＴＩ単位で構成される。そして、表１のようなテーブルで、フィードバック周期性及びサブフレームオフセットを短ＴＴＩ単位で表すように定義することができ、フィードバック周期とオフセットに従って、ＳＲのフィードバック短ＴＴＩ位置を決定する。
【０１４２】
１）基地局は、ＳＲのフィードバック短ＴＴＩ位置を決定する。例えば、基地局は、オフセット１で、３つの各短ＴＴＩのうちの１つでＳＲを送信することができると決定する。即ち、２番目の短ＴＴＩから起算し、図９Ａおよび図９Ｂに示すような短ＴＴＩ位置を取得して、ＳＲを送信することができる。基地局は、上位層シグナリングにより、関連設定を端末に通知することができる。
【０１４３】
２）端末は、上位層シグナリングを受信し、ＳＲのフィードバック短ＴＴＩ位置は、２番目の短ＴＴＩから起算し、３つの各短ＴＴＩのうちの１つでＳＲを送信することができ、図９Ａおよび図９Ｂに示すような短ＴＴＩ位置を取得して、ＳＲを送信することができる。
【０１４４】
３）端末は、ＳＲを送信するために短いＴＴＩ位置でＳＲ（例えば、ポジティブＳＲまたは他のＵＣＩと共に送信される）を送信するかどうかを決定する。必要がなければ、端末はＳＲを送信しない。必要があれば、端末は、当該ＳＲ送信のための短ＴＴＩ位置においてＳＲを送信する。その流れは、実施例１でフィードバックサブフレーム内のＳＲ送信のための短ＴＴＩ位置においてＳＲを送信する流れと類似するため、ここでは説明を省略する。
【０１４５】
４）基地局は、決定されたＳＲ送信のための短ＴＴＩ位置において、ＳＲをブラインド検出する。ＳＲ送信のための各短ＴＴＩ位置においてＳＲを検出する流れは、実施例１による、基地局がフィードバックサブフレーム内のＳＲ送信のための短ＴＴＩ位置においてＳＲを検出する流れと類似するため、ここでは説明を省略する。
【０１４６】
上記実施形態は、２シンボルの短ＴＴＩでの送信がある例としてのみ説明されたが、他のシンボル長の短いＴＴＩでの送信にも同じことが当てはまることに留意されたい。ここでは、重複する説明は省略する。サブフレーム内の短ＴＴＩ分割は、上述の実施例以外の他の分割態様もあり得る。上記の実施例でＳＲ送信のみを例とするが、周期ＣＳＩの送信も同様であり、ここでの説明を省略する。上記の実施例は、サブフレーム内のすべての時間位置がアップリンクにある例としてのみ説明されてきたが、その一部がアップリンクにある時間位置を含むサブフレームにも同じことが当てはまる。（例えば、特殊サブフレーム）。または連続しないアップリンクサブフレーム（例えば、ＴＤＤサブフレーム）の対処も類似するため、繰り返しの説明はここでは省略する。
【０１４７】
上記方法の処理フローは、ソフトウェアプログラムで実行することができ、ソフトウェアプログラムは記憶媒体に格納することができ、格納されたソフトウェアプログラムが呼び出されると、それは上記方法で動作を実行することができる。
【０１４８】
同様な発明思想に基づき、本発明に係る実施例は端末を提供し、当該端末ＵＥは図３に示す方法と同様の原理の下で問題に対処するので、以下の関連説明を参照することができる。当該端末の実施は方法の実施を参照することができ、繰り返しの説明は、ここでは省略する。
【０１４９】
図１０に示す実施例に係る端末は、ＵＣＩを送信するための短ＴＴＩ位置および／または短アップリンクチャネルを決定する決定モジュール１０１と、決定された短ＴＴＩ位置および／または短アップリンクチャネルにおいて、前記ＵＣＩを送信する送信モジュール１０２とを備える。
【０１５０】
可能な実施形態として、前記決定モジュール１０１は、第１の構成情報を受信し、前記第１の構成情報は、ＵＣＩ送信のためのフィードバックサブフレームの周期および／またはオフセットを示す。また、前記第１の構成情報に従って、前記フィードバックサブフレームの位置を決定する。
【０１５１】
前記送信モジュール１０２は、前記フィードバックサブフレーム内のＵＣＩ送信のための特定の短ＴＴＩ位置または特定の短アップリンクチャネルにおいて、前記ＵＣＩを送信する。
【０１５２】
任意選択で、前記送信モジュール１０２は、前記フィードバックサブフレーム内のＵＣＩ送信のための特定の短ＴＴＩ位置において、ｓＰＵＣＣＨまたはｓＰＵＳＣＨにより、前記ＵＣＩを送信する。
【０１５３】
また、前記送信モジュール１０２は、前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを送信する。
【０１５４】
また、前記送信モジュール１０２は、
前記フィードバックサブフレーム内の最初のｓＰＵＣＣＨまたは最後のｓＰＵＣＣＨにおいて、前記ＵＣＩを送信し、または、
前記フィードバックサブフレーム内の最初のｓＰＵＳＣＨまたは最後のｓＰＵＳＣＨにおいて、前記ＵＣＩを送信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを送信する。
【０１５５】
また、前記送信モジュール１０２は、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを送信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信する。
【０１５６】
他の可能な実施態様では、前記決定モジュール１０１は、第２の構成情報を受信し、前記第２の構成情報は、ＵＣＩ送信のためのフィードバック短ＴＴＩ位置の周期および／またはオフセットを示す。また、前記第２の構成情報に従って、前記フィードバック短ＴＴＩ位置を決定する。
【０１５７】
前記送信モジュール１０２は、前記フィードバック短ＴＴＩ位置において、前記ＵＣＩを送信する。
【０１５８】
また、前記送信モジュール１０２は、前記フィードバック短ＴＴＩ位置において、ｓＰＵＣＣＨまたはｓＰＵＳＣＨにより、前記ＵＣＩを送信する。
【０１５９】
また、前記送信モジュール１０２は、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを送信する。
【０１６０】
図１１に示す実施例にかかる他の端末は、送受信機と、前記送受信機と接続する少なくとも１つのプロセッサを備える。
【０１６１】
前記プロセッサ６００は、メモリ６２０に格納されたプログラムを読み出し、
ＵＣＩを送信するための短ＴＴＩ位置および／または短アップリンクチャネルを決定する。また、送受信機６１０により、決定された短ＴＴＩ位置および／または短アップリンクチャネルにおいて、前記ＵＣＩを送信する。
【０１６２】
送受信機６１０は、プロセッサ６００の制御下でデータを送受信するように構成される。
【０１６３】
図１１では、バスアーキテクチャは、任意の数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機６１０は、複数の部品であることができ、即ち、送信機及び受信機を備え、伝送媒体を介して他の装置と通信するユニットを提供する。異なるユーザ装置に対し、ユーザインタフェース６３０は、必要に応じて装置を内部および外部に接続することができるインタフェースであってもよく、接続される装置は、キーパッド、モニタ、スピーカ、マイクロフォン、ジョイスティックなどを含むがこれらに限定されない。プロセッサ６００は、バスアーキテクチャの管理および通常の処理の実行を担当し、さらにタイミング、周辺インタフェース、電圧調整、電源管理、および他の制御機能を含む様々な機能を実行でき、メモリ６２０は、プロセッサ６００が使用するデータを格納できる。
【０１６４】
任意選択で、プロセッサ６００は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ）とすることができる。
【０１６５】
本発明に係る実施例では、プロセッサ６００は、メモリ６２０内のプログラムを読み出し、図３に示す実施例による方法を実行する。
【０１６６】
同様な発明思想に基づき、本発明に係る実施例は基地局をさらに提供し、基地局の問題解決原理は、上述の図４に示す方法の実施例と類似するため、基地局の実施は方法を実施を参考することができ、繰り返して説明しない。
【０１６７】
図１２に示す実施例による基地局は、
ＵＣＩを送信するための短ＴＴＩ位置および／または短アップリンクチャネルを決定する決定モジュール１２１と、
決定された短ＴＴＩ位置および／または短アップリンクチャネルにおいて、前記ＵＣＩを受信する受信モジュール１２２とを備える。
【０１６８】
可能な実施形態として、前記決定モジュール１２１は、
ＵＣＩ送信のためのフィードバックサブフレームにおいて、前記ＵＣＩが、ＵＣＩ送信のための特定の短ＴＴＩ位置、または特定の短アップリンクチャネルにおいて送信されることを決定する。
【０１６９】
また、端末に第１の構成情報を送信し、前記第１の構成情報は、前記フィードバックサブフレームの周期および／またはオフセットを示す。
【０１７０】
また、前記受信モジュール１２２は、前記フィードバックサブフレーム内のＵＣＩ送信のための特定の短ＴＴＩ位置において、ｓＰＵＣＣＨまたはｓＰＵＳＣＨにより、前記ＵＣＩを受信する。
【０１７１】
また、前記受信モジュール１２２は、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを受信する。
【０１７２】
また、前記受信モジュール１２２は、
前記フィードバックサブフレーム内の最初のｓＰＵＣＣＨまたは最後のｓＰＵＣＣＨにおいて、前記ＵＣＩを受信し、または、
前記フィードバックサブフレーム内の最初のｓＰＵＳＣＨまたは最後のｓＰＵＳＣＨにおいて、前記ＵＣＩを受信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを受信する。
【０１７３】
また、前記受信モジュール１２２は、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを受信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信する。
【０１７４】
他の可能実施の態様では、前記決定モジュール１２１は、前記ＵＣＩがフィードバック短ＴＴＩ位置で送信されることを決定し、端末に第２の構成情報を送信し、前記第２の構成情報は、ＵＣＩ送信のためのフィードバック短ＴＴＩ位置の周期および／またはオフセットを示す。
【０１７５】
また、前記受信モジュール１２２は、前記フィードバック短ＴＴＩ位置において、ｓＰＵＣＣＨまたはｓＰＵＳＣＨにより、前記ＵＣＩを受信する。
【０１７６】
また、前記受信モジュール１２２は、前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを受信する。または、前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを受信する。
【０１７７】
図１３に示す実施例に係る他の基地局は、送受信機と、前記送受信機と接続する少なくとも１つのプロセッサとを備える。
【０１７８】
プロセッサ５００は、メモリ５２０に格納されたプログラムを読み出し、ＵＣＩを送信するための短ＴＴＩ位置および／または短アップリンクチャネルを決定する。また、送受信機５１０により、決定された短ＴＴＩ位置および／または短アップリンクチャネルにおいて、前記ＵＣＩを受信する。
【０１７９】
送受信機５１０は、プロセッサ５００の制御下でデータを送受信するように構成される。
【０１８０】
ここで、図１３では、バスアーキテクチャは、任意の数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機５１０は、いくつかの要素とすることができ、例えば、送信媒体を介して様々な他のデバイスと通信するためのユニットであるいくつかの送信機および受信機を含むことができる。プロセッサ５００は、バスアーキテクチャの管理および通常の処理の実行を担当し、さらにタイミング、周辺インタフェース、電圧調整、電源管理、および他の制御機能を含む様々な機能を実行でき、メモリ５２０は、プロセッサ５００が使用するデータを格納できる。
【０１８１】
任意選択で、プロセッサ５００は、ＣＰＵ、ＡＳＩＣ、ＦＰＧＡまたはＣＰＬＤとすることができる。
【０１８２】
本発明に係る実施例では、プロセッサ５００は、メモリ５２０内のプログラムを読み出して、図４に示す実施例による方法を実行する。
【０１８３】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１８４】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び／またはブロック図における一つまたは複数のブロックに指定する機能を具現する。
【０１８５】
これらのコンピュータプログラム指令は又、コンピュータまたは他のプログラム可能なデータ処理装置を特定の態様で動作させるコンピュータ読取記憶装置に記憶できる。これによって、指令を含む装置は当該コンピュータ読取記憶装置内の指令を実行でき、フロー図における一つまたは複数のフロー及び／またはブロック図における一つまたは複数のブロックに指定する機能を具現する。
【０１８６】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を具現し、コンピュータまたは他のプログラム可能な設備において実行される指令によって、フロー図における一つまたは複数のフロー及び／またはブロック図における一つまたは複数のブロックに指定する機能を具現する。
【０１８７】
上述した実施形態に記述された技術的な解決手段を改造し、またはその中の一部の技術要素を置換することもできる。そのような、改造と置換は本発明の各実施形態の技術の範囲から逸脱するとは見なされない。
【０１８８】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１８９】
１０１  決定モジュール
１０２  送信モジュール
１２１  決定モジュール
１２２  受信モジュール
５００  プロセッサ
５１０  送受信機
５２０  メモリ
６００  プロセッサ
６１０  送受信機
６２０  メモリ
６３０  ユーザインタフェース
【図１】
2019530361.tif 000005
【図２】
2019530361.tif 000006
【図３】
2019530361.tif 000007
【図４】
2019530361.tif 000008
【図５Ａ】
2019530361.tif 000009
【図５Ｂ】
2019530361.tif 000010
【図６Ａ】
2019530361.tif 000011
【図６Ｂ】
2019530361.tif 000012
【図７Ａ】
2019530361.tif 000013
【図７Ｂ】
2019530361.tif 000014
【図８Ａ】
2019530361.tif 000015
【図８Ｂ】
2019530361.tif 000016
【図９Ａ】
2019530361.tif 000017
【図９Ｂ】
2019530361.tif 000018
【図１０】
2019530361.tif 000019
【図１１】
2019530361.tif 000020
【図１２】
2019530361.tif 000021
【図１３】
2019530361.tif 000022
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
端末は、ＵＣＩを送信するための短送信時間間隔（ＴＴＩ）位置および／または短アップリンクチャネルを決定するステップと、
前記端末は、決定された短ＴＴＩ位置および／または短アップリンクチャネルにおいて、前記ＵＣＩを送信するステップと
を備えることを特徴とするアップリンク制御情報（ＵＣＩ）を送信するための方法。
【請求項２】
前記端末が、ＵＣＩを送信するための短ＴＴＩ位置および／または短アップリンクチャネルを決定する場合、前記端末は、第１の構成情報を受信し、前記第１の構成情報は、ＵＣＩ送信のためのフィードバックサブフレームの周期および／またはオフセットを示し、及び、前記第１の構成情報に従って、前記フィードバックサブフレームの位置を決定し、
前記端末が、決定された短ＴＴＩ位置および／または短アップリンクチャネルにおいて、前記ＵＣＩを送信する場合、前記端末は、前記フィードバックサブフレーム内のＵＣＩ送信のための特定の短ＴＴＩ位置または特定の短アップリンクチャネルにおいて、前記ＵＣＩを送信し、
または、
前記端末が、ＵＣＩを送信するための短ＴＴＩ位置および／または短アップリンクチャネルを決定する場合、前記端末は、第２の構成情報を受信し、前記第２の構成情報は、ＵＣＩ送信のためのフィードバック短ＴＴＩ位置の周期および／またはオフセットを示し、及び、前記第２の構成情報に従って、前記フィードバック短ＴＴＩ位置を決定し、
前記端末が、決定された短ＴＴＩ位置および／または短アップリンクチャネルにおいて、前記ＵＣＩを送信する場合、前記端末は、前記フィードバック短ＴＴＩ位置において、前記ＵＣＩを送信することを特徴とする請求項１に記載のアップリンク制御情報（ＵＣＩ）を送信するための方法。
【請求項３】
前記端末は、前記フィードバックサブフレーム内のＵＣＩ送信のための特定の短ＴＴＩ位置において、前記ＵＣＩを送信する場合、
前記端末は、前記フィードバックサブフレーム内の特定の短ＴＴＩ位置において、短物理アップリンク制御チャネル（ｓＰＵＣＣＨ）または短物理アップリンク共有チャネル（ｓＰＵＳＣＨ）により、前記ＵＣＩを送信し、
または、
前記端末が、前記フィードバックサブフレーム内のＵＣＩ送信のための特定の短アップリンクチャネルにおいて、前記ＵＣＩを送信する場合、
前記端末は、前記フィードバックサブフレーム内の最初のｓＰＵＣＣＨまたは最後のｓＰＵＣＣＨにおいて、前記ＵＣＩを送信し、または、
前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＣＣＨであると決定すれば、前記端末は、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記端末が、前記特定の短アップリンクチャネルがｓＰＵＳＣＨであると決定すれば、前記端末は、前記フィードバックサブフレーム内の最初のｓＰＵＳＣＨまたは最後のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のプライマリコンポーネントキャリア（ＰＣＣ）にｓＰＵＳＣＨがあれば、前記端末は、前記ＰＣＣ上のｓＰＵＳＣＨにおいて、前記ＵＣＩを送信し、または、
前記端末が、前記特定の短アップリンクチャネルがｓＰＵＳＣＨであると決定し、かつ前記フィードバックサブフレーム内の前記端末のＰＣＣにｓＰＵＳＣＨがなければ、前記端末は、前記フィードバックサブフレーム内の最小キャリアインデックスを有するセカンダリコンポーネントキャリア（ＳＣＣ）に存在するｓＰＵＳＣＨにおいて、前記ＵＣＩを送信することを特徴とする請求項２に記載のアップリンク制御情報（ＵＣＩ）を送信するための方法。
【請求項４】
前記端末は、前記フィードバックサブフレーム内のＵＣＩ送信のための特定の短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記特定の短ＴＴＩ位置にｓＰＵＳＣＨがなければ、前記端末は、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記端末は、前記フィードバックサブフレーム内の特定の短ＴＴＩ位置において、ｓＰＵＳＣＨにより前記ＵＣＩを送信することを特徴とする請求項３に記載のアップリンク制御情報（ＵＣＩ）を送信するための方法。
【請求項５】
前記端末が、前記ＰＣＣ上のｓＰＵＳＣＨにより、前記ＵＣＩを送信する場合、前記フィードバックサブフレーム内の前記端末のＰＣＣ上に複数のｓＰＵＳＣＨがあれば、前記端末は、前記フィードバックサブフレーム内の前記ＰＣＣ上の最初のｓＰＵＳＣＨまたは最後のｓＰＵＳＣＨにおいて、前記ＵＣＩを送信し、
または、
前記端末は、前記フィードバックサブフレーム内の最小キャリアインデックスを有するＳＣＣに存在するｓＰＵＳＣＨにおいて、前記ＵＣＩを送信する場合、前記フィードバックサブフレーム内の最小キャリアインデックスを有する前記ＳＣＣに複数のｓＰＵＳＣＨがあれば、前記端末は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信することを特徴とする請求項３に記載のアップリンク制御情報（ＵＣＩ）を送信するための方法。
【請求項６】
前記端末が、前記フィードバック短ＴＴＩ位置において、前記ＵＣＩを送信する場合、
前記端末は、前記フィードバック短ＴＴＩ位置において、ｓＰＵＣＣＨまたはｓＰＵＳＣＨにより、前記ＵＣＩを送信することを特徴とする請求項２に記載のアップリンク制御情報（ＵＣＩ）を送信するための方法。
【請求項７】
前記端末が、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記端末は、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記端末は、前記フィードバック短ＴＴＩ位置において、ｓＰＵＳＣＨにより前記ＵＣＩを送信することを特徴とする請求項６に記載のアップリンク制御情報（ＵＣＩ）を送信するための方法。
【請求項８】
基地局は、ＵＣＩを送信するための短送信時間間隔（ＴＴＩ）位置および／または短アップリンクチャネルを決定するステップと、
前記基地局は、決定された短ＴＴＩ位置および／または短アップリンクチャネルにおいて、前記ＵＣＩを受信するステップと
を備えることを特徴とするアップリンク制御情報（ＵＣＩ）を受信するための方法。
【請求項９】
前記基地局が、ＵＣＩを送信するための短ＴＴＩ位置および／または短アップリンクチャネルを決定する場合、前記基地局は、ＵＣＩ送信のためのフィードバックサブフレームにおいて、ＵＣＩ送信のための特定の短ＴＴＩ位置、または特定の短アップリンクチャネルにおいて送信されることを決定し、
前記基地局が、ＵＣＩを送信するための短ＴＴＩ位置および／または短アップリンクチャネルを決定した後、前記基地局は、端末に第１の構成情報を送信し、前記第１の構成情報は、前記フィードバックサブフレームの周期および／またはオフセットを示し、
または、
前記基地局が、ＵＣＩを送信するための短ＴＴＩ位置および／または短アップリンクチャネルを決定する場合、前記基地局は、前記ＵＣＩがフィードバック短ＴＴＩ位置で送信されることを決定し、
前記基地局は、ＵＣＩを送信するための短ＴＴＩ位置および／または短アップリンクチャネルを決定した後、前記基地局は、端末に第２の構成情報を送信し、前記第２の構成情報は、ＵＣＩ送信のためのフィードバック短ＴＴＩ位置の周期および／またはオフセットを示すことを特徴とする請求項８に記載のアップリンク制御情報（ＵＣＩ）を受信するための方法。
【請求項１０】
前記基地局が決定された短ＴＴＩ位置および／または短アップリンクチャネルにおいて、前記ＵＣＩを受信する場合、
前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信し、
または、
前記基地局は、前記フィードバックサブフレーム内のＵＣＩ送信のための特定の短アップリンクチャネルにおいて、前記ＵＣＩを受信する場合、
前記基地局は、前記フィードバックサブフレーム内の最初のｓＰＵＣＣＨまたは最後のｓＰＵＣＣＨにおいて、前記ＵＣＩを受信し、または、
前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＣＣＨであると決定すれば、前記基地局は、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記基地局が、前記特定の短アップリンクチャネルがｓＰＵＳＣＨであると決定すれば、前記基地局は、前記フィードバックサブフレーム内の最初のｓＰＵＳＣＨまたは最後のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがあれば、前記基地局は、前記ＰＣＣ上のｓＰＵＳＣＨにおいて、前記ＵＣＩを受信し、または、
前記基地局が、前記特定の短アップリンクチャネルがｓＰＵＳＣＨであると決定し、かつ前記フィードバックサブフレーム内の前記端末のＰＣＣにｓＰＵＳＣＨがなければ、前記基地局は、前記フィードバックサブフレーム内の最小キャリアインデックスを有するＳＣＣに存在するｓＰＵＳＣＨにおいて、前記ＵＣＩを受信することを特徴とする請求項９に記載のアップリンク制御情報（ＵＣＩ）を受信するための方法。
【請求項１１】
前記基地局は、前記フィードバックサブフレーム内のＵＣＩ送信のための特定の短ＴＴＩ位置において、ｓＰＵＣＣＨまたはｓＰＵＳＣＨにより、前記ＵＣＩを受信する場合、
前記端末がｓＰＵＣＣＨとｓＰＵＳＣＨの同時送信をサポートするか、または、前記特定の短ＴＴＩ位置にｓＰＵＳＣＨがなければ、前記基地局は、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記基地局は、前記フィードバックサブフレーム内の特定の短ＴＴＩ位置において、ｓＰＵＳＣＨにより前記ＵＣＩを受信することを特徴とする請求項１０に記載のアップリンク制御情報（ＵＣＩ）を受信するための方法。
【請求項１２】
前記基地局は、前記ＰＣＣ上のｓＰＵＳＣＨにおいて、前記ＵＣＩを受信する場合、前記フィードバックサブフレーム内の前記端末のＰＣＣ上に複数のｓＰＵＳＣＨがあれば、前記基地局は、前記フィードバックサブフレーム内の前記ＰＣＣ上の最初のｓＰＵＳＣＨまたは最後のｓＰＵＳＣＨにおいて、前記ＵＣＩを受信し、
または、
前記基地局は、前記フィードバックサブフレーム内の最小キャリアインデックスを有するＳＣＣに存在するｓＰＵＳＣＨにおいて、前記ＵＣＩを受信する場合、前記フィードバックサブフレーム内の最小キャリアインデックスを有する前記ＳＣＣに複数のｓＰＵＳＣＨがあれば、前記基地局は、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信することを特徴とする請求項１０に記載のアップリンク制御情報（ＵＣＩ）を受信するための方法。
【請求項１３】
前記基地局が決定された短ＴＴＩ位置および／または短アップリンクチャネルにおいて、前記ＵＣＩを受信する場合、
前記基地局は、前記フィードバック短ＴＴＩ位置において、ｓＰＵＣＣＨまたはｓＰＵＳＣＨにより、前記ＵＣＩを受信することを特徴とする請求項９に記載のアップリンク制御情報（ＵＣＩ）を受信するための方法。
【請求項１４】
前記基地局が、前記フィードバック短ＴＴＩ位置において、ｓＰＵＣＣＨまたはｓＰＵＳＣＨにより、前記ＵＣＩを送信する場合、
前記端末がｓＰＵＣＣＨとｓＰＵＳＣＨの同時送信をサポートするか、または、前記フィードバック短ＴＴＩ位置にｓＰＵＳＣＨがなければ、前記基地局は、前記フィードバック短ＴＴＩ位置において、ｓＰＵＣＣＨにより前記ＵＣＩを受信し、または、
前記端末がｓＰＵＣＣＨとｓＰＵＳＣＨの同時送信をサポートしないか、または、前記フィードバック短ＴＴＩ位置にｓＰＵＳＣＨがあれば、前記基地局は、前記フィードバック短ＴＴＩ位置において、ｓＰＵＳＣＨにより前記ＵＣＩを受信することを特徴とする請求項１３に記載のアップリンク制御情報（ＵＣＩ）を受信するための方法。
【請求項１５】
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを送信するように構成される、送信モジュールと
を備えることを特徴とする端末。
【請求項１６】
前記決定モジュールは、第１の構成情報を受信し、前記第１の構成情報は、ＵＣＩ送信のためのフィードバックサブフレームの周期および／またはオフセットを示し、また、前記第１の構成情報に従って、前記フィードバックサブフレームの位置を決定し、
前記送信モジュールは、前記フィードバックサブフレーム内のＵＣＩ送信のための特定の短ＴＴＩ位置または特定の短アップリンクチャネルにおいて、前記ＵＣＩを送信し、
または、
前記決定モジュールは、第２の構成情報を受信し、前記第２の構成情報は、ＵＣＩ送信のためのフィードバック短ＴＴＩ位置の周期および／またはオフセットを示し、及び、前記第２の構成情報に従って、前記フィードバック短ＴＴＩ位置を決定し、
前記送信モジュールは、前記フィードバック短ＴＴＩ位置において、前記ＵＣＩを送信することを特徴とする請求項１５に記載の端末。
【請求項１７】
前記送信モジュールは、
前記フィードバックサブフレーム内の特定の短ＴＴＩ位置において、ｓＰＵＣＣＨまたはｓＰＵＳＣＨにより、前記ＵＣＩを送信し、
または、
前記送信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを送信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを送信し、
または、
前記送信モジュールは、
前記フィードバックサブフレーム内の最初のｓＰＵＣＣＨまたは最後のｓＰＵＣＣＨにおいて、前記ＵＣＩを送信し、または、
前記フィードバックサブフレーム内の最初のｓＰＵＳＣＨまたは最後のｓＰＵＳＣＨにおいて、前記ＵＣＩを送信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを送信し、または、前記フィードバックサブフレーム内の最初のｓＰＵＣＣＨまたは最後のｓＰＵＣＣＨにおいて、前記ＵＣＩを送信し、または、
前記特定の短アップリンクチャネルがｓＰＵＳＣＨであると決定すれば、前記フィードバックサブフレーム内の最初のｓＰＵＳＣＨまたは最後のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを送信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを送信し、
または、
前記送信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを送信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを送信することを特徴とする請求項１６に記載の端末。
【請求項１８】
前記送信モジュールは、
前記フィードバック短ＴＴＩ位置において、ｓＰＵＣＣＨまたはｓＰＵＳＣＨにより、前記ＵＣＩを送信し、
または、
前記送信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを送信し、または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを送信することを特徴とする請求項１６に記載の端末。
【請求項１９】
ＵＣＩを送信するための短ＴＴＩ位置および／または短アップリンクチャネルを決定するように構成される、決定モジュールと、
決定された短ＴＴＩ位置および／または短アップリンクチャネルにおいて、前記ＵＣＩを受信するように構成される、受信モジュールと
を備えることを特徴とする基地局。
【請求項２０】
前記決定モジュールは、
ＵＣＩ送信のためのフィードバックサブフレームにおいて、前記ＵＣＩが、ＵＣＩ送信のための特定の短ＴＴＩ位置、または特定の短アップリンクチャネルにおいて送信されることを決定し、
端末に第１の構成情報を送信し、前記第１の構成情報は、前記フィードバックサブフレームの周期および／またはオフセットを示し、
または、
前記決定モジュールは、
前記ＵＣＩがフィードバック短ＴＴＩ位置で送信されることを決定し、
端末に第２の構成情報を送信し、前記第２の構成情報は、ＵＣＩ送信のためのフィードバック短ＴＴＩ位置の周期および／またはオフセットを示すことを特徴とする請求項１９に記載の基地局。
【請求項２１】
前記受信モジュールは、
前記フィードバックサブフレーム内のＵＣＩ送信のための特定の短ＴＴＩ位置において、ｓＰＵＣＣＨまたはｓＰＵＳＣＨにより、前記ＵＣＩを受信し、
または、
前記受信モジュールは、
前記端末がｓＰＵＣＣＨとｓＰＵＳＣＨの同時送信をサポートするか、または、前記特定の短ＴＴＩ位置にｓＰＵＳＣＨがなければ、前記フィードバックサブフレーム内の特定の短ＴＴＩ位置において、ｓＰＵＣＣＨにより前記ＵＣＩを受信し、または、
前記端末がｓＰＵＣＣＨとｓＰＵＳＣＨの同時送信をサポートせず、かつ前記特定の短ＴＴＩ位置にｓＰＵＳＣＨがあれば、前記フィードバックサブフレーム内の特定の短ＴＴＩ位置において、ｓＰＵＳＣＨにより前記ＵＣＩを受信し、
または、
前記受信モジュールは、
前記フィードバックサブフレーム内の最初のｓＰＵＣＣＨまたは最後のｓＰＵＣＣＨにおいて、前記ＵＣＩを受信し、または、
前記フィードバックサブフレーム内の最初のｓＰＵＳＣＨまたは最後のｓＰＵＳＣＨにおいて、前記ＵＣＩを受信し、または、
前記特定の短アップリンクチャネルがＰＵＣＣＨであると決定すれば、前記フィードバックサブフレーム内の最初の短ＴＴＩまたは最後の短ＴＴＩにおいて、前記特定の短アップリンクチャネルにより前記ＵＣＩを受信し、または、前記フィードバックサブフレーム内の最初のｓＰＵＣＣＨまたは最後のｓＰＵＣＣＨにおいて、前記ＵＣＩを受信し、または、
前記特定の短アップリンクチャネルがＰＵＣＣＨであると決定すれば、前記フィードバックサブフレーム内の最初のｓＰＵＳＣＨまたは最後のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがあれば、前記ＰＣＣ上のｓＰＵＳＣＨにおいて、前記ＵＣＩを受信し、または、
前記特定の短アップリンクチャネルがｓＰＵＳＣＨであると決定し、かつ前記フィードバックサブフレーム内の前記端末のＰＣＣにｓＰＵＳＣＨがなければ、前記フィードバックサブフレーム内の最小キャリアインデックスを有するＳＣＣに存在するｓＰＵＳＣＨにおいて、前記ＵＣＩを受信し、
または、
前記受信モジュールは、
前記フィードバックサブフレーム内の前記端末のＰＣＣ上に複数のｓＰＵＳＣＨがあれば、前記フィードバックサブフレーム内の前記ＰＣＣ上の最初のｓＰＵＳＣＨまたは最後のｓＰＵＳＣＨにおいて、前記ＵＣＩを受信し、または、
前記フィードバックサブフレーム内の最小キャリアインデックスを有する前記ＳＣＣに複数のｓＰＵＳＣＨがあれば、前記フィードバックサブフレーム内の最小キャリアインデックスを有する前記ＳＣＣ上の最初のｓＰＵＳＣＨまたは最後のｓＰＵＳＣＨにおいて、前記ＵＣＩを受信することを特徴とする請求項２０に記載の基地局。
【請求項２２】
前記受信モジュールは、
前記フィードバック短ＴＴＩ位置において、ｓＰＵＣＣＨまたはｓＰＵＳＣＨにより、前記ＵＣＩを受信し、
または、
前記受信モジュールは、
前記端末がｓＰＵＣＣＨとｓＰＵＳＣＨの同時送信をサポートするか、または、前記フィードバック短ＴＴＩ位置にｓＰＵＳＣＨがなければ、前記フィードバック短ＴＴＩ位置において、ｓＰＵＣＣＨにより前記ＵＣＩを受信し、
または、
前記端末がｓＰＵＣＣＨとｓＰＵＳＣＨの同時送信をサポートしないか、または、前記フィードバック短ＴＴＩ位置にｓＰＵＳＣＨがあれば、前記フィードバック短ＴＴＩ位置において、ｓＰＵＳＣＨにより前記ＵＣＩを受信することを特徴とする請求項２０に記載の基地局。
【国際調査報告】
2019530361.tif 000023
2019530361.tif 000024
2019530361.tif 000025
2019530361.tif 000026
2019530361.tif 000027
2019530361.tif 000028